(57)【要約】  ＵＣＩが多重される確率の高いＰｃｅｌｌの伝搬チャネル品質情報を電力割当優先度の高いＳＲＳにより高精度に推定でき、ｅＮＢは後続のＵＣＩを伝送するＵＬチャネルに対して適切な送信電力を指示できる無線通信端末装置及び電力割当方法を提供する。送信電力計算部（１０７）において、複数ＣＣの複数ＵＬチャネルの送信電力を計算する。電力スケーリング検出部（１０８）において、複数ＣＣで送信されるＵＬチャネルの送信電力合計値がＵＥ固有の最大送信電力を超えるか否かを検出する。電力スケーリング制御部（１０９）において、Ｐｃｅｌｌ及びＳｃｅｌｌを用いて、複数ＳＲＳを同時送信する場合において、電力スケーリングが発生した場合には、同時送信複数ＳＲＳの中で、ＳｃｅｌｌのＳＲＳより、ＰｃｅｌｌのＳＲＳの送信電力を優先して電力割当を行う。
2012060067.tif 000002
【特許請求の範囲】
【請求項１】
キャリアアグリゲーションを構成する複数のコンポーネントキャリアの複数の上り回線チャネルの送信電力を計算する送信電力計算手段と、
計算された前記送信電力を用いて、前記複数のコンポーネントキャリアで送信される上り回線チャネルの送信電力の合計値が自装置に固有の最大送信電力を超え、電力スケーリングが発生するか否かを検出する電力スケーリング検出手段と、
電力スケーリングが発生すると検出され、プライマリセル及びセカンダリセルを用いて、複数の参照信号を送信する場合、セカンダリセルの参照信号よりプライマリセルの参照信号を優先して送信電力の割り当てを行う電力スケーリング制御手段と、
を具備する無線通信端末装置。
【請求項２】
前記電力スケーリング制御手段は、プライマリセルの参照信号の送信電力をコンポーネントキャリア個別な最大送信電力以下に設定し、前記プライマリセルの参照信号の送信電力を保持し、セカンダリセルの参照信号の送信電力を低減する請求項１に記載の無線通信端末装置。
【請求項３】
前記電力スケーリング制御手段は、前記プライマリセルの参照信号の送信電力を保持し、セカンダリセルの参照信号の送信を停止又は送信電力を０に設定する請求項１に記載の無線通信端末装置。
【請求項４】
前記電力スケーリング制御手段は、セカンダリセルの参照信号が複数ある場合、送信電力が小さいセカンダリセルの参照信号から順に送信電力を低減又は送信を停止又は送信電力を０に設定する請求項１に記載の無線通信端末装置。
【請求項５】
前記電力スケーリング制御手段は、セカンダリセルの参照信号が複数ある場合、複数のセカンダリセルの参照信号の送信電力を一様に低減する請求項１に記載の無線通信端末装置。
【請求項６】
前記電力スケーリング制御手段は、セカンダリセルの参照信号が複数ある場合、セカンダリセルの参照信号の全てを送信停止又は全ての送信電力を０に設定する請求項１に記載の無線通信端末装置。
【請求項７】
前記電力スケーリング制御手段は、セカンダリセルの参照信号の送信電力が所定の閾値以下である場合、セカンダリセルの参照信号の送信電力を低減又は送信を停止又は送信電力を０に設定する請求項１に記載の無線通信端末装置。
【請求項８】
前記電力スケーリング制御手段は、複数の参照信号の中で最大送信電力から所定値以上離れた送信電力を有するセカンダリセルの参照信号の送信電力を低減又は送信を停止又は送信電力を０に設定する請求項１に記載の無線通信端末装置。
【請求項９】
前記電力スケーリング制御手段は、ピリオディック参照信号の送信周期の長さに応じて、コンポーネントキャリアの参照信号を選択し、選択した参照信号の電力割当優先度を低減するか、送信電力を低減するか、送信を停止するか、あるいは送信電力を０に設定する請求項１に記載の無線通信端末装置。
【請求項１０】
前記電力スケーリング制御手段は、送信周期の長い参照信号を選択する請求項９に記載の無線通信端末装置。
【請求項１１】
前記電力スケーリング制御手段は、送信周期の短い参照信号を選択する請求項９に記載の無線通信端末装置。
【請求項１２】
前記電力スケーリング制御手段は、高い電力スペクトル密度を有する参照信号より、低い電力スペクトル密度を有する参照信号の電力割当優先度を低減するか、送信電力を低減するか、送信を停止するか、あるいは送信電力を０に設定する請求項１に記載の無線通信端末装置。
【請求項１３】
前記電力スケーリング制御手段は、参照信号の帯域幅に応じて、コンポーネントキャリアの参照信号を選択し、選択した参照信号の電力割当優先度を低減するか、送信電力を低減するか、送信を停止するか、あるいは送信電力を０に設定する請求項１に記載の無線通信端末装置。
【請求項１４】
前記電力スケーリング制御手段は、狭い帯域幅を有する参照信号より、広い帯域幅を有する参照信号を選択する請求項１３に記載の無線通信端末装置。
【請求項１５】
前記電力スケーリング制御手段は、広い帯域幅を有する参照信号より、狭い帯域幅を有する参照信号を選択する請求項１３に記載の無線通信端末装置。
【請求項１６】
前記電力スケーリング制御手段は、複数のセカンダリセルの参照信号の中で、上り制御情報がトリガーされるコンポーネントキャリアの参照信号の電力割当優先度を高くし、前記上り制御信号がトリガーされないコンポーネントキャリアの参照信号の電力割当優先度を低くする請求項１に記載の無線通信端末装置。
【請求項１７】
キャリアアグリゲーションを構成する複数のコンポーネントキャリアの複数の上り回線チャネルの送信電力を計算する送信電力計算工程と、
計算された前記送信電力を用いて、前記複数のコンポーネントキャリアで送信される上り回線チャネルの送信電力の合計値が自装置に固有の最大送信電力を超え、電力スケーリングが発生するか否かを検出する電力スケーリング検出工程と、
電力スケーリングが発生すると検出され、プライマリセル及びセカンダリセルを用いて、複数の参照信号を送信する場合、セカンダリセルの参照信号よりプライマリセルの参照信号を優先して送信電力の割り当てを行う電力スケーリング制御工程と、
を具備する電力割当方法。
【発明の詳細な説明】
【技術分野】
【０００１】
本発明は、無線通信端末装置及び電力割当方法に関する。
【背景技術】
【０００２】
3GPP (3rd Generation Partnership Project)において、LTE-advanced（以下、「ＬＴＥ−Ａ」と省略する）の検討が進められている。ＬＴＥ−Ａでは、キャリアアグリゲーション（ＣＡ：Carrier Aggregation）という帯域拡張技術の導入の検討がなされている。ＬＴＥ−ＡのＣＡでは、２０ＭＨｚ等から構成される１つの単位キャリア（ＣＣ：Component Carrier）を複数束ねることにより複数のキャリアをアグリゲーションし、高速伝送の実現を図るアプローチがダウンリンンク（ＤＬ：Downlink）及びアップリンク(ＵＬ：Uplink)チャネルで取られる。ＬＴＥ−Ａでは、５個のＣＣの導入、つまり、１００ＭＨｚまでの帯域拡張を視野に検討がなされている。【０００３】
そこで、ＵＬ ＣＡを対象とした送信電力制御方法の検討も同時になされている。ＬＴＥ−ＡのＵＬ送信電力制御の検討において、以下の事項（Ａ）〜（Ｃ）が合意されている。（Ａ）ＣＣ個別（CC-specific）に送信電力の制御が行われる。（Ｂ）ＣＣ個別の（各ＵＬチャネルに対する）最大送信電力Ｐｃｍａｘ，ｃ、及び、ＵＥ（User Equipment）固有の（UE-specific）最大総送信電力Ｐｃｍａｘ（複数ＣＣでの合計最大送信電力上限値）を設けている。そして、１ＣＣ内で送信される各ＵＬチャネルの送信電力が、ＣＣ個別の（各ＵＬチャネルに対する）最大送信電力を超えた場合、また、複数ＵＬチャネルの同時送信時に、複数（全）ＣＣで送信されるＵＬチャネル送信電力合計値がＵＥ固有の最大送信電力を超えた場合には、ＵＬチャネルの送信電力を低減する電力スケーリングという制御が行われる。（Ｃ）ＵＬ ＣＡにおいて、複数ＵＬチャネルの同時送信時に電力スケーリングが発生した場合における、複数ＵＬチャネルに対する電力割当優先度ルールは以下のように合意されている。
ＰＵＣＣＨ＞ＰＵＳＣＨ with ＵＣＩ＞ＰＵＳＣＨ without ＵＣＩ【０００４】
ここで、ＰＵＣＣＨはPhysical Uplink Control CHannel、ＰＵＳＣＨはPhysical Uplink Shared CHannelである。ＵＣＩはUplink Control Informationの略語であり、具体的には以下の制御情報等がある。ＡＣＫ／ＮＡＣＫ（Acknowledgment/Non Acknowledgment）、ＲＩ（Rank Indicator）、ＣＱＩ（Channel Quality Information）、ＰＭＩ（Pre-coding Matrix Indicator）、ＣＳＩ（Channel State Information）等があり、ＣＳＩ、ＣＱＩ等の情報の送信には、ピリオディック（periodic）とアペリオディック（aperiodic）な送信方法がある。【０００５】
また、ＰＵＳＣＨ with ＵＣＩは、ＵＣＩを多重するＰＵＳＣＨのことを示し、ＰＵＳＣＨ without ＵＣＩは、ＵＣＩを多重しないＰＵＳＣＨのことを示す。従って、複数ＵＬチャネルの同時送信時に電力スケーリングが発生した場合には、第１にＰＵＣＣＨの送信電力、第２にＵＣＩを多重するＰＵＳＣＨの送信電力、第３にＵＣＩを多重しないＰＵＳＣＨの送信電力に順番に送信電力を割り当てる。このルールは、これらの各チャネルが同一ＣＣ内に存在するか、または異なるＣＣに存在するかにかかわらず適用される。【０００６】
一方で、ＣＱＩ等の伝搬路の品質を測定する（sounding）ために用いられる、ピリオディックＳＲＳ又はアペリオディックＳＲＳ（Sounding Reference Symbol）に関連する電力スケーリング発生時の電力割当ルールも検討されている。例えば、以下の３つの場合（Ａ）〜（Ｃ）に分類することができる。【０００７】
（Ａ）（ピリオディック／アペリオディック）ＳＲＳと他ＵＬチャネル（ＰＵＣＣＨ、ＰＵＳＣＨ等)間の優先度。すなわち、非文献文献１において、以下に示すような電力スケーリング発生時の優先度が記載されている。
ＰＵＣＣＨ＞ＳＲＳ＞ＰＵＳＣＨ【０００８】
従って、電力スケーリングが発生した場合には、第１にＰＵＣＣＨ、第２にＳＲＳ、第３にＰＵＳＣＨの順番に端末の送信電力の割り当てを優先する。【０００９】
（Ｂ）ピリオディックＳＲＳとアペリオディックＳＲＳ間の優先度。すなわち、非文献文献２において、以下に示すような電力スケーリング発生時の優先度が記載されている。
アペリオディックＳＲＳ＞ピリオディックＳＲＳ【００１０】
従って、ピリオディックＳＲＳとアペリオディックＳＲＳの同時送信時に電力スケーリングが発生した場合には、第１にアペリオディックＳＲＳの送信電力、第２にピリオディックＳＲＳの送信電力の割り当てを優先する。【００１１】
（Ｃ）複数（ピリオディック又はアペリオディック）ＳＲＳ間の優先度。【００１２】
非特許文献１において、複数ピリオディックＳＲＳを複数ＣＣ間で同時送信する場合における、電力割当優先度ルールが記載されている。具体的には、図１に示すように、ＵＬ ＣＣ ＩＤ番号に応じて、ピリオディックＳＲＳの送信電力の優先度を決定する方法が開示されている。図１では、３個のＣＣでピリオディックＳＲＳを同時に送信する場合に電力スケーリングが発生する場合おいて、ＵＬ ＣＣ ＩＤ番号が大きい順に大きな送信電力を割り当てる概念図を示している。これにより、複数ＣＣでのピリオディックＳＲＳ同時送信時に電力スケーリングが発生した場合においても、このルールに従い、端末は各ＣＣのピリオディックＳＲＳの送信電力を適切に決定することができる。
【先行技術文献】
【非特許文献】
【００１３】
【非特許文献１】R1-105376, Discussion on multiplexing ＳＲＳand ＰＵＳＣＨ in an SC-FDMA symbol in carrier-aggregated system, 3GPP TSG RAN WG1 #62bs, Xi’an, China, October 11 - 15, 2010
【非特許文献２】R1-105508, Power control for ＳＲＳtransmission in CA, 3GPP TSG RAN WG1 #62bs, Xi’an, China, October 11 - 15, 2010
【非特許文献３】3GPP TS 36.213 V8.8.0 (2009-09)
【発明の概要】
【発明が解決しようとする課題】
【００１４】
しかしながら、上記非特許文献１に開示の技術では、以下に示す課題がある。すなわち、複数ピリオディックＳＲＳを複数ＣＣで同時送信する際に、電力スケーリングが発生した場合の電力割当優先度に、再送が適用されない重要なＵＣＩを多重するＣＣ選択方法の影響が考慮されていない。ＵＣＩは、低遅延で端末からｅＮＢに通知する必要があるため、１回の送信での伝送だけがサポートされる。【００１５】
従って、上記非特許文献１に開示の技術に基づいて設定された電力割当優先度の低いＣＣ（ｅＮＢでの、ＣＱＩ測定誤差が大きくなる可能性の高いＣＣ）がＵＣＩを多重するＣＣに該当する場合、該当ＣＣでは、電力スケーリング（送信電力が低減）されたＳＲＳを用いて導出された通信品質（例えば、ＳＩＮＲ：Signal-to-Interference plus Noise power Ratio）測定誤差が大きいため、ｅＮＢは後続のサブフレームで伝送するＵＣＩに対して適切な送信電力（または、ＭＣＳ：Modulation and channel Coding Scheme）値を通知できない。なお、電力スケーリングは、ｅＮＢが知ることができないＵＥ固有のＰＡ（Power Amplifier）に関連した送信電力制御情報、例えば、ＵＥ毎、又は、ＵＥのＣＣ毎の最大送信電力を決定するパラメータ（ＭＰＲ：Maximum Power Reduction等）によって生じるため、基本的にｅＮＢは電力スケーリングの発生が分からない。【００１６】
例えば、複数ＳＲＳの複数ＣＣでの同時送信時にＵＥ固有の最大送信電力を超えたため、そのＵＥが、上記非特許文献１に開示の技術に基づいて、あるＵＬ ＣＣ ＩＤ番号の小さいＣＣのＳＲＳに対して電力スケーリング（送信電力の低減）を行った場合、ｅＮＢは、受信レベルが低下した受信ＳＲＳを用いて該当ＣＣの通信品質の測定を行う。しかしながら、上記したように、ｅＮＢは端末の電力スケーリングがいつ発生したか等の情報を基本的には持ち合わせないため、ＳＲＳの受信レベル低下理由を、端末での電力スケーリングの発生ではなく、時間的に変動しやすい移動通信の伝搬チャネルの品質が劣悪になったと誤認識する。そして、後続の（ＵＣＩが多重された）ＰＵＳＣＨ等のＵＬチャネルの伝送において、所定受信品質を満たすのに必要な値以上の大きな送信電力値（低いＭＣＳ値）を用いるように通知してしまう。つまり、この場合、後続のＰＵＳＣＨ等のＵＬチャネルにおいて、過剰な品質のＵＬチャネルの伝送が行われてしまう（送信電力を大きくするように指示した場合は、他セルへの同一チャネル干渉を増加させてしまう。また、端末の消費電力を不必要に増加させてしまう等の新たな課題を引き起こす）。【００１７】
本発明の目的は、ＵＣＩが多重される確率の高いＰｃｅｌｌの伝搬チャネル品質情報を電力割当優先度の高いＳＲＳにより高精度に推定でき、ｅＮＢは後続のＵＣＩを伝送するＵＬチャネルに対して適切な送信電力を指示できる無線通信端末装置及び電力割当方法を提供することである。
【課題を解決するための手段】
【００１８】
本発明の無線通信端末装置は、キャリアアグリゲーションを構成する複数のコンポーネントキャリアの複数の上り回線チャネルの送信電力を計算する送信電力計算手段と、計算された前記送信電力を用いて、前記複数のコンポーネントキャリアで送信される上り回線チャネルの送信電力の合計値が自装置に固有の最大送信電力を超え、電力スケーリングが発生するか否かを検出する電力スケーリング検出手段と、電力スケーリングが発生すると検出され、プライマリセル及びセカンダリセルを用いて、複数の参照信号を送信する場合、セカンダリセルの参照信号よりプライマリセルの参照信号を優先して送信電力の割り当てを行う電力スケーリング制御手段と、を具備する構成を採る。【００１９】
本発明の電力割当方法は、キャリアアグリゲーションを構成する複数のコンポーネントキャリアの複数の上り回線チャネルの送信電力を計算する送信電力計算工程と、計算された前記送信電力を用いて、前記複数のコンポーネントキャリアで送信される上り回線チャネルの送信電力の合計値が自装置に固有の最大送信電力を超え、電力スケーリングが発生するか否かを検出する電力スケーリング検出工程と、電力スケーリングが発生すると検出され、プライマリセル及びセカンダリセルを用いて、複数の参照信号を送信する場合、セカンダリセルの参照信号よりプライマリセルの参照信号を優先して送信電力の割り当てを行う電力スケーリング制御工程と、を具備するようにした。
【発明の効果】
【００２０】
本発明によれば、ＵＣＩが多重される確率の高いＰｃｅｌｌの伝搬チャネル品質情報を電力割当優先度の高いＳＲＳにより高精度に推定でき、ｅＮＢは後続のＵＣＩを伝送するＵＬチャネルに対して適切な送信電力を指示できる。
【図面の簡単な説明】
【００２１】
【図１】非特許文献１に開示の送信電力の優先度を決定する方法を示す図
【図２】本発明の実施の形態１及び２に係る無線通信端末装置の構成を示すブロック図
【図３】１サブフレームの後端にＳＲＳを多重する構成を示す図
【図４】電力スケーリング方法１の概要を示す図
【図５】電力スケーリング方法２の概要を示す図
【図６】電力スケーリング方法３の概要を示す図
【図７】２つのＳＲＳをドロップする様子を示す図
【図８】ピリオディックＳＲＳをドロップする様子を示す図
【図９】電力スケーリング方法４の概要を示す図
【図１０】電力スケーリング方法５の概要を示す図
【図１１】電力スケーリング方法６の概要を示す図
【図１２】電力スケーリング方法７の概要を示す図
【図１３】電力スケーリング方法８の概要を示す図
【図１４】電力スケーリング方法１１の概要を示す図
【図１５】電力スケーリング方法１２の概要を示す図
【図１６】１サブフレーム内でＰＵＣＣＨとピリオディックＳＲＳを多重する構成を示す図
【図１７】電力スケーリング方法１３の概要を示す図
【図１８】本発明の実施の形態１に係る無線通信端末装置の構成を示すブロック図
【図１９】１サブフレーム内でＰＵＳＣＨとピリオディックＳＲＳを多重する構成を示す図
【図２０】電力スケーリング方法１４の概要を示す図
【図２１】電力スケーリング方法１５の概要を示す図
【発明を実施するための形態】
【００２２】
本発明者は、以下の点に着眼して本発明をなすに到った。すなわち、ＬＴＥ−Ａでは、Ｐｃｅｌｌ（Primary Cell）、又は、ＰＣＣ（Primary Component Carrier）にＰＵＳＣＨがスケジューリングされる（送信される、送信割当（UL grant）ありの）場合、Ｐｃｅｌｌ（ＰＣＣ）のＰＵＳＣＨにＵＣＩを多重することが、ＵＣＩを多重するＣＣ（ＰＵＳＣＨ）の選択方法として用いられる。また、（ＵＣＩだけを多重する）ＰＵＣＣＨを送信するＣＣはＰｃｅｌｌ（ＰＣＣ）だけに限定される。従って、Ｓｃｅｌｌ（Secondary cell）、または、ＳＣＣ（Secondary Component Carrier）と比較すると、Ｐｃｅｌｌ（ＰＣＣ）で再送が適用されない重要度の高いＵＣＩが送信される確率が高い。
【００２３】
また、システムをオペレーションする場合においてトラフィックが少ない場合には、一般にＰｃｅｌｌのみを優先して使う（長時間で見て通信しやすいセルとしてＰｃｅｌｌを選択する）ことにより、システム帯域幅（ＣＣ間全体）での利用効率を向上させる。また、Ｐｃｅｌｌを使用する場合には、ＰＵＣＣＨがＬＴＥ Ｒｅｌ．８と後方互換性（compatible）を有する送信のため、ＵＣＩだけが送信されるＰＵＣＣＨ上においても効率が良い伝送が可能となる（なお、ＬＴＥ−ＡはＲｅｌ．１０とリリースされる予定である）。
【００２４】
また、Ｐｃｅｌｌ（ＰＣＣ）、及び、Ｓｃｅｌｌ（ＳＣＣ）は、ｅＮＢにより、ＵＥ個別（UE-specific）に設定（configure）され、ｅＮＢから端末に（例えば、伝送誤り確率の極めて低い上位レイヤのシグナリングを用いて）通知するため、ｅＮＢ及び各ＵＥ間で、Ｐｃｅｌｌ（ＰＣＣ）、及び、Ｓｃｅｌｌ（ＳＣＣ）の設定（configuration）を事前に認識できる。
【００２５】
以下、本発明の実施の形態について、図面を参照して詳細に説明する。
【００２６】
（実施の形態１）
図２は、本発明の実施の形態１に係る無線通信端末装置（以下、「端末」という）１００の構成を示すブロック図である。以下、図２を用いて端末１００の構成について説明する。
【００２７】
無線受信処理部１０２は、基地局（ｅＮＢ）から送信されたＯＦＤＭ信号をアンテナ１０１から受信し、受信したＯＦＤＭ信号にダウンコンバート、Ａ／Ｄ変換等の所定のＲＦ処理を施してＯＦＤＭ復調部１０３に出力する。
【００２８】
ＯＦＤＭ復調部１０３は、無線受信処理部１０２から出力されたＯＦＤＭ信号のガードインターバル（ＧＩ）を除去し、ＧＩを除去したＯＦＤＭ信号に対して離散フーリエ変換（ＤＦＴ：Discrete Fourier Transform）を施して周波数領域信号に変換する。次に、ＯＦＤＭ復調部１０３は、周波数領域の各成分に対して、周波数領域等化（ＦＤＥ：Frequency-domain Equalization）を施し、信号の歪を取り除き、復調部１０４に出力する。
【００２９】
復調部１０４は、ＯＦＤＭ復調部１０３から出力された信号に対して、ＱＰＳＫ、１６ＱＡＭ（Quadrature Amplitude Modulation）等の変調方式に対する所定の復調処理を施してチャネル復号部１０５に出力する。
【００３０】
チャネル復号部１０５は、復調部１０４から出力された信号に、ターボ符号化、畳み込み符号化等の誤り訂正符号化に対する復号処理（繰り返しＭＡＰ復号、ビタビ復号）を施して制御情報抽出部１０６に出力する。
【００３１】
制御情報抽出部１０６は、チャネル復号部１０５から出力された信号から、ＵＬグラント（UL grant）情報（割当帯域幅、ＭＣＳセット、ＰＵＳＣＨやＳＲＳやＰＵＣＣＨ等の送信電力情報（TPC command、ＭＣＳ等の送信フォーマット既存値ΔTF等、ＳＲＳ用のオフセット値PSRS_offset）、アペリオディックＳＲＳトリガー情報など）、ＤＬグラント（DL grant）情報（ＰＵＣＣＨ等の送信電力情報、アペリオディックＳＲＳトリガー情報など）、ＵＣＩ要求（トリガー）情報、Ｐｃｅｌｌ／Ｓｃｅｌｌ、ＰＣＣ／ＳＣＣなどのＣＣ／ｃｅｌｌ情報等、制御情報を抽出して送信電力計算部１０７に出力する。
【００３２】
送信電力計算部１０７は、制御情報抽出部１０６から出力された制御情報、ＣＣ個別（各ＵＬチャネル）最大送信電力（ＰＡのパワクラス、ＭＰＲ等）、パスロス（推定値）情報、上位層での送信電力関連通知情報（パスロス補償係数、Ｐ＿ｏ（ターゲット受信レベル値）等）などを用いて、複数ＵＬチャネル（ＣＣ毎）の送信電力を計算する。具体的な計算方法は、非特許文献３に記載のＰＵＳＣＨ、ＰＵＣＣＨ及びＳＲＳの送信電力計算式などを用いる。送信電力計算部１０７は、複数ＵＬチャネル（ＣＣ毎）の送信電力値を電力スケーリング検出部１０８及び電力スケーリング制御部１０９に出力する。
【００３３】
電力スケーリング検出部１０８は、送信電力計算部１０７から出力された複数ＵＬチャネルの送信電力値から複数ＣＣ（全ＵＬチャネル）の総送信電力を計算し、計算した総送信電力と、入力されるＵＥ固有の最大送信電力（Ｐｃｍａｘ）との比較を行う。総送信電力がＵＥ固有の最大送信電力より小さければ、「電力スケーリングの必要なし」という制御情報を電力スケーリング制御部１０９に出力する。逆に、総送信電力がＵＥ固有の最大送信電力より大きければ、「電力スケーリングの必要あり」という制御情報を電力スケーリング制御部１０９に出力する。
【００３４】
電力スケーリング制御部１０９では、電力スケーリング検出部１０８から出力された電力スケーリング発生の有無情報「電力スケーリングの必要なし、または、あり」に従って、「電力スケーリングの必要あり」の場合は各ＵＬチャネル（ＳＲＳ、ＰＵＳＣＨ、ＰＵＣＣＨなど）に対して送信電力のスケーリングを行い、複数ＵＬチャネル（ＣＣ）毎の送信電力を決定する。電力スケーリング後の送信電力情報を送信電力設定部１１２−１〜１１２−Ｎに出力する。なお、ＳＲＳの電力スケーリング方法の詳細は後述する。
【００３５】
符号化及び変調部１１０−１〜１１０−Ｎは、入力されるＣＣ毎のトランスポートブロック（ＴＢ：Transport Block）に対して、ターボ符号化等の誤り訂正符号化及びＱＰＳＫや１６ＱＡＭ等の所定の変調処理を施して多重部１１１−１〜１１１−Ｎに出力する。
【００３６】
多重部１１１−１〜１１１−Ｎは、入力されるピリオディックＳＲＳ（上位層の制御情報によってトリガーされた場合）、または、アペリオディックＳＲＳ（物理層の制御チャネルのＰＤＣＣＨによってトリガーされた場合）を変調シンボル系列に多重して送信電力設定部１１２−１〜１１２−Ｎに出力する。ＬＴＥ（ＬＴＥ−Ａ）では、図３（ＰＵＳＣＨにＳＲＳを時間多重する場合）に示すように、１４ＳＣ−ＦＤＭＡシンボルから構成される１サブフレームの最終シンボルだけにＳＲＳが多重されるため、そのような時間軸多重が行えるようにＳＲＳを変調シンボルの後端に多重する。なお、図３では、１サブフレームの中心部分に３シンボル程復調用参照信号（ＤＭＲＳ：DeModulation Reference Symbol）が多重されている場合を示している。
【００３７】
送信電力設定部１１２−１〜１１２−Ｎは、電力スケーリング制御部１０９から出力された複数ＵＬチャネル（ＣＣ）毎の送信電力情報を用いて、各ＵＬチャネル（ＳＲＳ、ＰＵＳＣＨ、ＰＵＣＣＨなど）の送信電力を設定してＳＣ−ＦＤＭＡ変調部１１３−１〜１１３−Ｎに出力する。
【００３８】
ＳＣ−ＦＤＭＡ変調部１１３−１〜１１３−Ｎは、送信電力設定部１１２−１〜１１２−Ｎから出力された送信電力設定後のシンボル系列に対して、ＤＦＴを施すことにより、プレコーディングを行う。そして、ｅＮＢから指示された所定の周波数リソースにＤＦＴプレコーディング信号をマッピングした後、ＩＤＦＴで時間領域信号に変換する。最後に、ガードインターバルを付加して合成部１１４に出力する。
【００３９】
合成部１１４は、ＳＣ−ＦＤＭＡ変調部１１３−１〜１１３−Ｎから出力された複数のＳＣ−ＦＤＭＡ信号を合成し、無線送信処理部１１５に出力する。
【００４０】
無線送信処理部１１５は、合成部１１４から出力された信号にＤ／Ａ変換、増幅処理、アップコンバート等の所定のＲＦ処理を施し、アンテナ１０１より送信する。
【００４１】
次に、複数ＳＲＳ同時送信時のＳＲＳに対する電力スケーリング方法１〜１２について説明する。
【００４２】
電力スケーリング方法１
電力スケーリング方法１では、まず、送信電力計算部１０７において、複数ＣＣの複数ＵＬチャネルの送信電力を計算する。
【００４３】
次に、電力スケーリング検出部１０８において、複数ＣＣで送信されるＵＬチャネルの送信電力合計値がＵＥ固有の最大送信電力を超えるか否か（電力スケーリングが発生するか否か）を検出する。
【００４４】
次に、電力スケーリング制御部１０９において、Ｐｃｅｌｌ（ＰＣＣ）及びＳｃｅｌｌ（ＳＣＣ）を用いて、複数（ピリオディック又はアペリオディック）ＳＲＳを同時送信する場合において、電力スケーリングが発生した場合には、同時に送信する複数（ピリオディック又はアペリオディック）ＳＲＳの中で、ＳｃｅｌｌのＳＲＳより、ＰｃｅｌｌのＳＲＳの送信電力を優先して電力割当を行う。
【００４５】
図４に、電力スケーリング方法１の概要を示す。図４では、３ＣＣ（ＣＣ＃０〜ＣＣ＃２）において、ＳＲＳを同時に送信している。例えば、１サブフレームの最終シンボル位置（図３）において、３ＣＣでＳＲＳだけ送信している。そして、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、Ｓｃｅｌｌに設定されているＣＣ＃０及びＣＣ＃２より、Ｐｃｅｌｌに設定されているＣＣ＃１のＳＲＳに対して送信電力を優先的に割り当てる動作を示している。
【００４６】
これにより、電力割当優先度の低いＳＲＳのＣＣ（ＣＱＩ測定誤差が大きくなる確率の高いＣＣ）が、ＵＣＩを多重するＣＣと同一のＣＣとなる確率を低減できる。例えば、図４に示すように、電力割当優先度の低いＳｃｅｌｌのＣＣ＃０とＣＣ＃２が、ＵＣＩが多重されるＣＣと同一のＣＣとなる可能性を低減できる。従って、ＵＣＩが多重される確率の高いＰｃｅｌｌの伝搬チャネル品質情報（ＣＱＩ:Channel Quality Indicator）を電力割当優先度の高いＳＲＳにより高精度に推定でき、ｅＮＢは後続のＵＣＩを伝送するＵＬチャネル（例えば、データとＵＣＩ多重ありのＰＵＳＣＨ、ＵＣＩを多重するＰＵＣＣＨなど）に対して適切な送信電力（ＭＣＳ）を指示できる。すなわち、ＵＣＩを送信するＵＬチャネルに用いる送信フォーマットを過剰品質にすることなく送信することができる。また、他セルへの同一チャネル干渉、端末の消費電力を不必要に増加させずに伝送することができる。
【００４７】
電力スケーリング方法２
電力スケーリング方法２では、電力スケーリング制御部１０９において、ＰｃｅｌｌのＳＲＳの送信電力を、ＣＣ個別の（各ＵＬチャネルに対する）最大送信電力以下に設定し（ＣＣ個別な最大送信電力の条件は満たしつつ）、ＰｃｅｌｌのＳＲＳの送信電力は保持し（変化させず）、Ｓｃｅｌｌの送信電力を低減することにより、電力スケーリングを行う。
【００４８】
図５に、電力スケーリング方法２の概要を示す。図５では、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、Ｐｃｅｌｌに設定されているＣＣ＃１のＳＲＳ電力は維持し（変化させずに）、Ｓｃｅｌｌに設定されているＣＣ＃０及びＣＣ＃２のＳＲＳの送信電力を低減させることにより、電力スケーリングを行う動作を示している。
【００４９】
これにより、ＰｃｅｌｌのＳＲＳの送信電力を、ＣＣ毎（各ＵＬチャネル）の最大送信電力以下にするという条件を満たすことにより、ＣＣ毎の他セルへの同一チャネル干渉をある所定値以下に維持でき、各ｅＮＢでＣＣ毎のスケジューリングやクロスキャリアスケジューリングを行いやすくできる。また、ＰｃｅｌｌのＳＲＳの送信電力レベルは確実に保持する（変化させない）ことにより、電力スケーリング方法１の場合と比較して、Ｐｃｅｌｌの（ピリオディック又はアペリオディック）ＳＲＳの伝搬チャネル品質測定を更に高精度に行うことができる。
【００５０】
つまり、Ｐｃｅｌｌの受信ＳＲＳから求めたＰｃｅｌｌの通信品質情報を、端末での電力スケーリングの影響を受けていない情報にすることができる（ｅＮＢとＵＥ間で、ＵＥの送信電力に関する誤認識を生じさせない）ため、ｅＮＢは、ＵＣＩが送信される可能性の高いＰｃｅｌｌにおいて、後続するスケジューリング（リソース割当）、送信電力（ＡＭＣ：Adaptive Modulation channel Coding）制御において、更に適切に動作させることができる。よって、送信電力（ＡＭＣ）制御などにおいて大きなマージンを取るような消極的な制御を行わなくてもよいという効果が得られる。
【００５１】
電力スケーリング方法３
電力スケーリング方法３では、電力スケーリング制御部１０９において、ＰｃｅｌｌのＳＲＳの送信電力は保持し（変化させず）、ＳｃｅｌｌのＳＲＳをドロップする（送信しない、または送信電力＝０に設定する）ことにより、電力スケーリングを行う。
【００５２】
図６に、電力スケーリング方法３の概要を示す。図６では、図４及び図５と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、Ｐｃｅｌｌに設定されているＣＣ＃１のＳＲＳ電力は維持し（変化させずに）、Ｓｃｅｌｌに設定されているＣＣ＃２のＳＲＳをドロップすることにより、電力スケーリングを行う動作を示している。
【００５３】
これにより、ＳｃｅｌｌのＳＲＳをドロップすることにより、電力スケーリング方法１の効果に加えて、ＣＣ間での複雑な電力割当制御を簡単化できる。また、ＬＴＥ−Ａでは、ＳＲＳを送信する場合は、１４シンボルから構成される１サブフレームの最終シンボルだけにＳＲＳが多重されるため、そのシンボルだけをドロップしても、spectrum efficiencyに与える影響は小さい。例えば、１ＣＣだけでＳＲＳを送信する場合においては１／１４＝７％のインパクトで済む。更に、ＳＲＳが送信される頻度（周期）は、例えば、ピリオディックＳＲＳの場合は１０ｍｓに１回程度であり、データが送信される頻度に比べて大幅に小さいため、spectrum efficiencyに与える影響は更に小さくなる（データの場合、最小１ｍｓに１回の伝送が可能である）。
【００５４】
また、ＳＲＳをドロップすることにより、ｅＮＢでのＳＲＳ受信電力のブラインド検出処理において、端末での電力スケーリング発生を検出しやすくすることができる。これは、複数ＳＲＳ同時送信時に電力スケーリングが発生した場合に、Ｓｃｅｌｌ（ＳＣＣ）のＳＲＳの送信電力をゼロに設定する（送信しない）ことにより、例えば、ｅＮＢは、ＳＲＳを受信する区間において雑音レベルと同等の受信ＳＲＳレベルしか測定できない場合には、容易に、電力スケーリングが発生したと判断することができるためである。これにより、後続サブフレームの端末への送信電力（ＭＣＳ）の誤った指示（過剰品質となる指示など）を回避できる。例えば、ｅＮＢがＳＲＳ受信レベルの大幅な低下（雑音レベルと同等の値）を検出した場合、ｅＮＢは、端末に対して、ＳＲＳに対する適切な送信電力値を新たに指示すると共に、ＳＲＳの再送信（トリガー）を指示することが可能となる。
【００５５】
なお、本実施の形態においては、複数ＣＣでの複数ＳＲＳの同時送信、かつ、電力スケーリングが発生した場合に電力スケーリング方法３を適用することを述べたが、電力スケーリングが発生せずとも、ＰｃｅｌｌとＳｃｅｌｌでのＳＲＳ同時送信が発生した場合において、ＳｃｅｌｌのＳＲＳをドロップしてもよい。更に、一律に、複数Ｓｃｅｌｌの全ＳＲＳをドロップしてもよい。図７では、ＣＣ＃０〜ＣＣ＃２で同時にＳＲＳを送信する場合において、ＳｃｅｌｌのＣＣ＃０とＣＣ＃２の２つのＳＲＳをドロップする場合を示している。これにより、ＣＣ間での電力割当処理に必要な演算を省略でき、上記と同様の効果を得つつ、ＬＴＥ−Ａの商用化において不可欠な、電力スケーリングに関する端末（又はｅＮＢ）のテスト工数を大幅に削減できる。
【００５６】
また、ＳｃｅｌｌでピリオディックＳＲＳとアペリオディックＳＲＳが送信される場合には、アペリオディックＳＲＳよりピリオディックＳＲＳを優先的にドロップしてもよい。また、この方法を、（Ａ）複数ＣＣでの複数ＳＲＳの同時送信、かつ、電力スケーリングが発生した場合、また、（Ｂ）電力スケーリングが発生せず、かつ、ＰｃｅｌｌとＳｃｅｌｌでのＳＲＳ同時送信が発生した場合、どちらの場合に適用してもよい。
【００５７】
アペリオディックＳＲＳは、ＬＴＥ−Ａで新たに導入されるＳＲＳであり、ｅＮＢが新しい品質情報を低遅延で測定するために、物理層のダウンリンク制御チャネルであるＰＤＣＣＨによってトリガーされる。一方、ピリオディックＳＲＳ（の送信周期、トリガー、タイマー等）は、上位層のシグナリングでconfigurationされるため、低速な制御しか行うことができない。従って、このアペリオディックＳＲＳの特長（ＳＲＳを用いたＣＱＩ測定に関するｅＮＢの直近の判断）を電力スケーリング処理に反映しつつ、上記と同様の効果が得られる。また、上記（Ｂ）の場合においては、電力スケーリングに関する端末（又はｅＮＢ）のテスト工数を削減できるという効果が得られる。
【００５８】
図８は、同一サブフレームの同一シンボル位置（例えば、サブフレームの最終シンボル位置）において、ＳｃｅｌｌのＣＣ＃０にアペリオディックＳＲＳがトリガーされ、ＳｃｅｌｌのＣＣ＃２にピリオディックＳＲＳがトリガーされ、ＰｃｅｌｌのＣＣ＃１では何も送信されない場合において、ＳｃｅｌｌのＣＣ＃２におけるピリオディックＳＲＳがドロップされる様子を示している。
【００５９】
電力スケーリング方法４
電力スケーリング方法４では、ＳｃｅｌｌのＳＲＳが複数ある場合において、電力スケーリング制御部１０９は、（ＰｃｅｌｌのＳＲＳの送信電力は保持し（変化させず））送信電力が小さい（又は最小の）ＳｃｅｌｌのＳＲＳ送信電力から順番に、送信電力を低減（ドロップ、送信電力＝０設定（送信しない））する。
【００６０】
図９に、電力スケーリング方法４の概要を示す。図９では、図４及び図５と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。また、電力スケーリング前のＳｃｅｌｌのＳＲＳの送信電力は、ＣＣ＃０のＳＲＳよりＣＣ＃２のＳＲＳの方が大きい。このような状況下において、複数ＣＣで送信される３ＣＣのＳＲＳチャネルの送信電力合計値がＵＥ固有の最大送信電力を超えた場合、送信電力が小さい（又は最小の）Ｓｃｅｌｌに設定されている送信ＣＣ＃０のＳＲＳを優先的にドロップすることにより、電力スケーリングを行う。
【００６１】
これにより、送信電力が小さいＳＲＳほど、ｅＮＢにおいて受信可能なＳＲＳ検出レベル（例えば、ｅＮＢでの雑音レベル）を下回る可能性が高いため、Ｓｃｅｌｌの送信電力が小さいＳＲＳの送信電力を優先的に低減することで、Ｐｃｅｌｌでの高精度品質測定を維持しつつ、送信電力を低減しないＳｃｅｌｌのＳＲＳを用いた測定精度を維持できる。
【００６２】
電力スケーリング方法５
電力スケーリング方法５では、ＳｃｅｌｌのＳＲＳが複数ある場合において、電力スケーリング制御部１０９は、（ＰｃｅｌｌのＳＲＳの送信電力は保持し（変化させず））Ｓｃｅｌｌの複数ＳＲＳ送信電力を一様に低減（同一の送信電力値の低減、同一のスケーリング（ウェイト）を適用）する。
【００６３】
図１０に、電力スケーリング方法５の概要を示す。図１０では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、Ｓｃｅｌｌに設定されているＣＣ＃０及びＣＣ＃２の送信電力を一様に低減している様子を示している。一様に送信電力を低減する方法としては、同一の送信電力値（真値、デシベル値）の低減、同一の（ＬＴＥ−Ａで適用される）スケーリング（ウェイト）を適用する方法などを用いてもよい。なお、ＳＲＳの送信電力低減に用いるスケーリングウェイトとして、ＳＲＳ用のスケーリングウェイトを用いてもよいし、他のＵＬチャネル（例えば、ＰＵＳＣＨ）と同一のスケーリングウェイトをＳＲＳに用いてもよい。なお、スケーリングウェイトは、ｅＮＢから端末へ事前に通知するパラメータである。
【００６４】
これにより、Ｐｃｅｌｌでの高精度品質測定を維持しつつ、ＣＣ間での複雑な電力割当制御を簡単化できる。
【００６５】
電力スケーリング方法６
電力スケーリング方法６では、ＳｃｅｌｌのＳＲＳが複数ある場合において、電力スケーリング制御部１０９は、Ｓｃｅｌｌの全ＳＲＳ（ＳｃｅｌｌのＳＲＳを一律に）ドロップする（送信しない、または送信電力＝０に設定）。
【００６６】
図１１に、電力スケーリング方法６の概要を示す。図１１では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、Ｓｃｅｌｌに設定されているＣＣ＃０及びＣＣ＃２のＳＲＳを一律にドロップする様子を示している。
【００６７】
これにより、上記電力スケーリング方法３と同様の効果を得つつ、ＣＣ間での複雑な電力割当制御を簡単化できる。また、ＬＴＥ−Ａの商用化において、不可欠な端末（又はｅＮＢ）のテスト工数を大幅に削減できる。例えば、複数ＳｃｅｌｌのＳＲＳの全ての送信組合せに対してテストを行うための仕様などを決定しなければならないが、そのテスト自体、テスト仕様の策定の工数自体を削減することができる。
【００６８】
なお、Ｓｃｅｌｌに複数ＳＲＳがある場合に、一律に全てのＳＲＳをドロップせずに、ＣＣ（ｃｅｌｌ）番号の順（昇順／降順）にドロップしてもよい。
【００６９】
電力スケーリング方法７
電力スケーリング方法７では、電力スケーリング制御部１０９は、複数ＳＲＳの中で最大送信電力を有するＳＲＳの送信電力から、ＳｃｅｌｌのＳＲＳ送信電力が所定の閾値以上の場合に、ＳｃｅｌｌのＳＲＳの送信電力を低減又はドロップする（送信しない、または送信電力＝０に設定）。
【００７０】
図１２に、電力スケーリング方法７の概要を示す。図１２では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、複数ＳＲＳの中で最大送信電力を有するＳＲＳの送信電力と、ＳｃｅｌｌのＳＲＳ送信電力との差が所定の閾値以上の場合に、ＳｃｅｌｌのＳＲＳをドロップする様子を示している。図１２では、ＳｃｅｌｌのＣＣ＃２のＳＲＳが、ＰｃｅｌｌのＣＣ＃１のＳＲＳの最大送信電力から所定値以上の場合に該当している。
【００７１】
ＣＣ間でのＳＲＳの送信電力差が大きい場合、送信電力の大きいＣＣのＳＲＳの相互変調歪が、異なるＣＣのＳＲＳの送信電力より大きくなる場合が生じる。この相互変調歪は、送信フィルタで取り除くことができない。すなわち、このような場合にそのまま送信してしまうと、ｅＮＢは相互変調歪の影響を受けたＳＲＳで該当ＣＣの通信品質を測定してしまい、正しいスケジューリング、送信電力制御ができない。従って、ＳＲＳの最大送信電力からＳｃｅｌｌのＳＲＳ送信電力が所定の閾値以上の場合に、ＳｃｅｌｌのＳＲＳをドロップすることにより、上記課題を回避することができる。
【００７２】
なお、閾値の設定方法として、パスロス（測定）値等に応じて適応的にその値を変化させてもよい。
【００７３】
また、基準値として、複数ＳＲＳの最大送信電力を有するＳＲＳの送信電力ではなく、同時送信ＵＬチャネル中で最大送信電力を有するチャネルの送信電力としてもよい。これにより、同様の効果が得られる。
【００７４】
電力スケーリング方法８
電力スケーリング方法８では、電力スケーリング制御部１０９は、ＳｃｅｌｌのＳＲＳ送信電力がある閾値以下の場合に、ＳｃｅｌｌのＳＲＳの送信電力を低減又はドロップする（送信しない、または送信電力＝０に設定）。
【００７５】
図１３に、電力スケーリング方法８の概要を示す。図１３では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される３ＣＣのＳＲＳチャネルの送信電力合計値がＵＥ固有の最大送信電力を超えた場合、複数ＳＲＳの中で、ＳｃｅｌｌのＳＲＳ送信電力がある閾値以下の場合に、ＳｃｅｌｌのＳＲＳをドロップする様子を示している。
【００７６】
ＣＣのＳＲＳの送信電力が小さすぎる場合には、端末（送信側）のＤ／Ａ（Digital/Analog）変換器の解像度において、送信信号を正しく表現することができなくなる。しかしながら、閾値を導入し、閾値以下の送信電力を有するＳＲＳをドロップすることにより、無駄な送信処理（低い送信電力値まで考慮（カバー）したＤ／Ａの複雑な設計）を回避することができる（無駄な送信電力の消費を回避することができる）。
【００７７】
電力スケーリング方法９
電力スケーリング方法９では、電力スケーリング制御部１０９は、ピリオディックＳＲＳの送信周期の長さに応じて、ドロップする（電力割当優先度を低くする、送信電力を低減する、送信しない、送信電力をゼロに設定する）ＣＣのＳＲＳを選択する。具体的には、送信周期が長いピリオディックＳＲＳを優先的にドロップするＣＣのＳＲＳとして選択するか、または、送信周期が短いピリオディックＳＲＳを優先的にドロップするＣＣのＳＲＳとして選択する。
【００７８】
送信周期が長いＳＲＳを優先的にドロップするＣＣのＳＲＳとして選択する場合、電力スケーリング方法３と同様の効果を維持しつつ、短区間チャネル変動に優先的に追随し、短区間フェージング変動に応じた適応変復調（ＡＭＣ：Adaptive Modulation and channel Coding）、時間−周波数領域スケジューリングを高精度に制御することが可能となり、ＵＥ個別のスループット、マルチユーザダイバーシチによるシステムスループットを改善することができる。
【００７９】
また、送信周期が短いＳＲＳを優先的にドロップするＣＣのＳＲＳとして選択する場合、電力スケーリング方法３と同様の効果を維持しつつ、長区間のチャネル測定精度を高精度化することが可能となり、データ及び制御情報を送信するのに用いるＣＣの選択を適応的に行う、クロスキャリアスケジューリング制御を高精度に行うことが可能となる。
【００８０】
電力スケーリング方法１０
電力スケーリング方法１０では、電力スケーリング制御部１０９は、ＳＲＳの帯域幅に応じて、ドロップする（電力割当優先度を低くする、送信電力を低減する、送信しない、送信電力をゼロに設定する）ＣＣのＳＲＳを選択する。具体的には、狭い帯域幅を有するＳＲＳより、広い帯域幅を有するＳＲＳを優先的にドロップするか、または、広い帯域幅を有するＳＲＳより、狭い帯域幅を有するＳＲＳを優先的にドロップする。
【００８１】
狭い帯域幅を有するＳＲＳより、広い帯域幅を有するＳＲＳを優先的にドロップする場合、以下の効果が得られる。ＬＴＥ−Ａ（ＬＴＥ）のＵＬチャネル（ＰＵＳＣＨ及びＳＲＳ等）の送信電力は、送信帯域幅と電力スペクトラム密度（ＰＳＤ：Power Spectrum Density）によって決定される。従って、総送信電力の大きさへ与える影響が大きい帯域幅の広いＳＲＳの送信電力割当優先度を低くすることにより、できるだけ少ないドロップＳＲＳ数を可能とする。例えば、複数ＣＣでのＳＲＳ総帯域幅がＢという条件下で、１ＣＣのＳＲＳの帯域幅がＢの場合と、２ＣＣで各ＣＣのＳＲＳ帯域幅がＢ／２の場合を比較した場合、１ＣＣのＳＲＳの帯域幅がＢを優先的にドロップするほうが、ドロップするＣＣ数を削減できる。これは、データや制御情報などを伝送するＣＣを選択するために、ＳＲＳを用いてできるだけ多くのＣＣのサウンディング（sounding）を行う場合に、非常に有用である。また、帯域幅が広いほど相互変調歪の広がりも大きくなるため、帯域幅が広いＳＲＳの電力割当優先度を低くすることにより、他ＣＣへの広範囲にわたる帯域外漏洩電力（相互変調歪）の影響を軽減できる。
【００８２】
なお、ここで、帯域幅の判定に閾値を導入し、ＳＲＳ間の帯域幅、又は、それらの差が閾値を超えた場合に該当ＳＲＳを優先的にドロップするようにしてもよい。
【００８３】
また、ＣＣ毎の帯域幅とＳＲＳ帯域幅の比（例えば、ＳＲＳ帯域幅／ＣＣ毎の帯域幅）が大きいほど、該当するＣＣのＳＲＳの電力割当優先度を下げてもよい。
【００８４】
一方、広い帯域幅を有するＳＲＳより、狭い帯域幅を有するＳＲＳを優先的にドロップする場合、以下の効果が得られる。１ＣＣ内だけの広い帯域幅にわたって伝搬チャネルの測定を行い、品質のよい周波数リソースに割り当てを行う場合において、広範囲の周波数帯の測定を一度に実施することができる。
【００８５】
なお、ここで、帯域幅の判定に閾値を導入し、ＳＲＳ間の帯域幅、又は、それらの差が閾値を超えた場合に該当ＳＲＳを優先的にドロップするようにしてもよい。
【００８６】
また、ＣＣ毎の帯域幅とＳＲＳ帯域幅の比（例えば、ＳＲＳ帯域幅／ＣＣ毎の帯域幅）が小さいほど、該当するＣＣのＳＲＳの電力割当優先度を下げてもよい。
【００８７】
電力スケーリング方法１１
電力スケーリング方法１１では、ＳｃｅｌｌのＳＲＳが複数ある場合において、電力スケーリング制御部１０９は、複数ＳｃｅｌｌのＳＲＳの中で、物理層の制御チャネルＰＤＣＣＨに含まれる制御情報（ＵＬ又はＤＬグラント）、または、上位層のシグナリングで通知された（される）制御情報でＵＣＩがトリガーされた（される）ＣＣのＳＲＳ電力割当優先度を高くする。例えば、アペリオディックＣＳＩ等のＵＣＩがトリガーされた、ＣＣのＳＲＳ電力割当優先度を高くする。反対に、ＳｃｅｌｌのＳＲＳが複数ある場合において、電力スケーリング制御部１０９は、物理層の制御チャネルＰＤＣＣＨに含まれる制御情報（ＵＬ又はＤＬグラント）、または、上位層のシグナリングで通知された（される）制御情報でＵＣＩがトリガーされない（されていない）ＣＣのＳＲＳ電力割当優先度を低くする（優先的にドロップする、送信電力を低減する、送信停止、または送信電力をゼロに設定する）。例えば、ＵＬグラントでアペリオディックＣＳＩ等のＵＣＩがトリガーされない（されていない）ＣＣのＳＲＳ電力割当優先度を低くする。
【００８８】
図１４に、電力スケーリング方法１１の概要を示す。図１４では、Ｓｃｅｌｌの２ＣＣ（ＣＣ＃０、ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信される２ＣＣのＳＲＳチャネルの送信電力合計値がＵＥ固有の最大送信電力を超えた場合、２Ｓｃｅｌｌの２ＳＲＳの中で、ＵＬグラントでアペリオディックＣＳＩ等のＵＣＩがトリガーされた（される）ＣＣのＳＲＳ電力割当優先度を高くする。図１４では、ＳｃｅｌｌのＣＣ＃２において、過去のサブフレームにおいて、ＵＣＩがトリガーされており、ＣＣ＃０はＵＣＩがトリガーされていない場合を示している。
【００８９】
これにより、電力スケーリング方法１及び電力スケーリング方法３と同様の効果を、複数Ｓｃｅｌｌ（ＳＣＣ）の中で得ることができる。
【００９０】
なお、トリガーされたＳｃｅｌｌはある所定の期間、その優先度を保持してもよい。また、新たに別ＣＣでＵＣＩがトリガーされるまでその優先度を維持してもよい。また、ＵＣＩがトリガーされたＳｃｅｌｌが複数ある場合は、直近のトリガー情報に従って、ＳＲＳの電力スケーリングを行ってもよい。また、ＵＣＩがトリガーされたＳｃｅｌｌが複数あり、同一時点でそれらがトリガーされた場合は、ＵＬ ＣＣ ＩＤ番号（昇順・降順）に応じて電力スケーリング優先度を決定してもよい。
【００９１】
電力スケーリング方法１２
電力スケーリング方法１２では、電力スケーリング制御部１０９は、高いＰＳＤを有するＳＲＳより、低いＰＳＤのＳＲＳを優先的にドロップする（電力割当優先度を低くする、送信電力を低減する、送信しない、送信電力をゼロに設定する）。
【００９２】
ＣＣ間でのＳＲＳのＰＳＤの差が大きい場合、ＰＳＤの大きいＣＣのＳＲＳの相互変調歪が、異なるＣＣのＳＲＳのＰＳＤより大きくなる場合が生じる。この相互変調歪は、送信フィルタで取り除くことができない。すなわち、このような場合にそのまま送信してしまうと、ｅＮＢは相互変調歪の影響を受けたＳＲＳで該当ＣＣの通信品質を測定してしまい、正しいスケジューリング、送信電力制御ができない。この課題に対して、相互変調歪みの影響を受けにくい高いＰＳＤを持つＳＲＳだけを送信することにより、該当ＣＣを精度よく測定できる。
【００９３】
図１５に、電力スケーリング方法１２の概要を示す。図１５では、Ｓｃｅｌｌの２ＣＣ（ＣＣ＃０、ＣＣ＃１）において、ＳＲＳを同時に送信しており、基地局から（上位レイヤシグナリングで）通知される制御信号により、ＣＣ＃０はＳｃｅｌｌ、ＣＣ＃１はＳｃｅｌｌに設定されている。図１５では、高調波歪（相互変調歪み）を点線で示している。このような状況下において、相互変調歪みの影響を受けやすい低いＰＳＤを持つＳＲＳをドロップする。
【００９４】
なお、ＰＳＤの値を計算するのに関連する（ＰＵＳＣＨ、ＳＲＳ）送信電力制御パラメータに基づいてもよい。例えば、ＴＰＣコマンド累積値、トランスポートブロックサイズ、ＭＣＳレベルに関連するオフセットパラメータ（ＴＦ）、ＰＵＳＣＨの送信電力に対するＳＲＳオフセット値、１ＲＥ当たりのビット数（ＴＢサイズ／割当ＲＥ数）など、これらの値が大きいほど、高いＰＳＤを有するＳＲＳとなるため、これらの値に基づいて、ドロップするＳＲＳを選択してもよい。また、割当ＲＥ（Resource Element）数、または、割当サブキャリア数が少ないほど、高いＰＳＤを有するＳＲＳとなるため、これらの値に基づいて、ドロップするＳＲＳを選択してもよい。
【００９５】
また、ＰＳＤや、上記各パラメータに対して、閾値を導入し、それらの値が閾値を超えた場合に該当ＳＲＳを優先的にドロップするようにしてもよい。
【００９６】
このように、実施の形態１によれば、Ｐｃｅｌｌ及びＳｃｅｌｌを用いて複数ＳＲＳを同時送信する際、電力スケーリングが発生した場合、ＳｃｅｌｌのＳＲＳよりＰｃｅｌｌのＳＲＳを優先して送信電力割当を行うことにより、電力割当優先度の低いＳＲＳのＣＣが、ＵＣＩを多重するＣＣと同一のＣＣとなる確率を低減することができる。よって、ＵＣＩが多重される確率の高いＰｃｅｌｌの伝搬チャネル品質情報を電力割当優先度の高いＳＲＳにより高精度に推定することができ、ｅＮＢは後続のＵＣＩを伝送するＵＬチャネルに対して適切な送信電力を指示することができる。
【００９７】
なお、上記では、ＣＣ間の場合について説明したが、ＣＣ内の複数ＳＲＳに上記方法を適用してもよい。
【００９８】
また、上記各電力スケーリング方法を組み合わせて使用してもよい。
【００９９】
また、上記複数Ｓｃｅｌｌの複数ＳＲＳへの適用を前提に述べた方法を、Ｐｃｅｌｌに複数ＳＲＳ、複数Ｐｃｅｌｌに複数ＳＲＳが存在する場合には、同様に適用することができる。
【０１００】
また、上記した、電力割当優先度の低いＳＲＳの送信電力を低減する方法として、ｅＮＢから端末へ（上位レイヤのシグナリングで）通知されるＳＲＳ用のスケーリングウェイトを用いて、送信電力を低減してもよい。ｗ＿Ｐｃｅｌｌ＿ＳＲＳをＰｃｅｌｌのＳＲＳに適用するスケーリングウェイト、ｗ＿Ｓｃｅｌｌ＿ＳＲＳをＳｃｅｌｌのＳＲＳに適用するスケーリングウェイトとした場合、ｗ＿Ｐｃｅｌｌ＿ＳＲＳ＞ｗ＿Ｓｃｅｌｌ＿ＳＲＳと設定（定義）すればよい。また、ｗ＿Ｐｃｅｌｌ＿ＳＲＳ＝１、ｗ＿Ｓｃｅｌｌ＿ＳＲＳ＜１と定義してもよい。
【０１０１】
また、上記では、電力スケーリング発生時の、複数（ピリオディック又はアペリオディック）ＳＲＳ間の優先度に関して述べたが、（ピリオディック／アペリオディック）ＳＲＳと他ＵＬチャネル（ＰＵＣＣＨ、ＰＵＳＣＨ等）間の電力優先度に関しては、以下に述べる方法を用いればよい。
【０１０２】
電力スケーリング方法１３
電力スケーリング方法１３では、（ピリオディック／アペリオディック）ＳＲＳとＰＵＣＣＨを同時送信する場合、Ｒｅｌ．８ ＬＴＥにおいて、２０ＭＨｚ等の帯域を有する１ＣＣだけでの運用である。１ＣＣ内でのＳＲＳとＰＵＣＣＨの同時送信時には、送信信号のＰＡＰＲ（Peak-to-Average Power Ratio）の増加（マルチキャリア送信）を避けるため、ＰＵＣＣＨに対しては、レートマッチングにより１サブフレームの最終ＳＣ−ＦＤＭＡシンボルを送信しないshorten formatのＰＵＣＣＨが用いられ、１サブフレームの最終ＳＣ−ＦＤＭＡシンボルでは、ピリオディックＳＲＳだけが送信される（図１６参照）。
【０１０３】
一方、複数ＣＣを用いるＬＴＥ−Ａでは、ＰＵＣＣＨを送信するＣＣとＳＲＳを送信するＣＣの複数ＣＣでの同時送信の導入の検討が行われている。従って、１サブフレームの最終ＳＣ−ＦＤＭＡシンボルでのＣＣ間でのＰＵＣＣＨとＳＲＳの同時送信時に、ＵＥ個別の最大送信電力を超えた場合においては、電力スケーリングを行う必要がある。すなわち、ＰＵＣＣＨとＳＲＳの電力割当優先度を決める必要がある。
【０１０４】
非文献文献１において、以下に示すような電力スケーリング発生時の優先度が記載されている。
ＰＵＣＣＨ＞ＳＲＳ＞ＰＵＳＣＨ
【０１０５】
しかしながら、非文献文献１には、（ピリオディック／アペリオディック）ＳＲＳとＰＵＣＣＨを同時送信する場合において、以下に示す課題がある。すなわち、ＰＵＣＣＨの送信電力よりＳＲＳの送信電力の電力割当優先度を低くするというルールに基づき、ＵＥ個別の最大送信電力を満たすように、ＳＲＳの送信電力を（中途半端に）低減した場合、上記したように、ｅＮＢは端末の電力スケーリングがいつ発生したか等の情報を基本的には持ち合わせない。このため、ＳＲＳの受信レベル低下理由を、端末での電力スケーリングの発生ではなく、時間的に変動しやすい移動通信の伝搬チャネルの品質が劣悪になったと誤認識する。そして、後続の（ＵＣＩが多重された）ＰＵＳＣＨ等のＵＬチャネルの伝送において、所定受信品質を満たすのに必要な値以上の大きな送信電力値（低いＭＣＳ値）を用いるように通知してしまう。つまり、この場合、後続のＰＵＳＣＨ等のＵＬチャネルにおいて、過剰な品質のＵＬチャネルの伝送が行われてしまう（送信電力を大きくするように指示した場合は、他セルへの同一チャネル干渉を増加させてしまう。また、端末の消費電力を不必要に増加させてしまう等の新たな課題を引き起こす）。
【０１０６】
そこで、（ピリオディック／アペリオディック）ＳＲＳとＰＵＣＣＨを同時送信する場合の電力スケーリング方法では、電力スケーリング制御部１０９において、ＰｃｅｌｌのＰＵＣＣＨの送信電力は保持し（変化させず）、ＳｃｅｌｌのＳＲＳをドロップする（送信しない、または送信電力＝０に設定する）ことにより、電力スケーリングを行う。
【０１０７】
図１７に、電力スケーリング方法１３の概要を示す。図１７では、ＣＣ＃０では送信なし、ＣＣ＃１ではＰＵＣＣＨ、ＣＣ＃２ではＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信されるＰＵＣＣＨとＳＲＳチャネルの送信電力合計値がＵＥ固有の最大送信電力を超えた場合、Ｐｃｅｌｌに設定されているＣＣ＃１のＰＵＣＣＨ電力は維持し（変化させずに）、Ｓｃｅｌｌに設定されているＣＣ＃２のＳＲＳをドロップすることにより、電力スケーリングを行う動作を示している。
【０１０８】
図１８に、ＰＵＣＣＨとＳＲＳを異なるＣＣ間で同時送信する場合の送信機構成を示す。図１８では、符号化及び変調部１１０−１にＰＵＣＣＨ上で送信する制御情報（ACK/NACK、ＣＱＩ等）が入力され、上記実施例と同様に処理が行われ、送信電力設定部１１２−１において、電力スケーリング制御部１０９から入力された情報に基づいてＰＵＣＣＨの送信電力が設定される。以降の処理（図２の場合）は上記と同じため省略する。また、ＳＲＳが送信されるＣＣでは、送信電力設定部１１２−ＮにＳＲＳが入力され、電力スケーリング制御部１０９から入力された情報に基づいてＳＲＳの送信電力が設定される。
【０１０９】
これにより、ＳｃｅｌｌのＳＲＳをドロップすることにより、電力スケーリング方法３と同様の効果が得られるのに加えて、ＣＣ間での複雑な電力割当制御を簡単化できる。また、上記と同様にテスト工数を削減することもできる。
【０１１０】
また、ＬＴＥ−Ａで新たに導入される、物理層の制御チャネルＰＤＣＣＨで通知されるアペリオディックＳＲＳのトリガー情報をＵＥがmiss detectionした場合には、ＵＥはＳＲＳを送信しない（該当ＣＣ（リソース）での送信電力＝０）。すなわち、電力スケーリング発生した場合とＵＥのmiss detectionが発生した場合とを、等価的に同じＵＥ動作にすることができる（簡略化できる）。従って、電力スケーリングが発生した場合及びＵＥのmiss detectionが発生した場合の両方の場合に対して、ｅＮＢでのＳＲＳ受信電力のブラインド検出処理において、例えば、ｅＮＢは、ＳＲＳを受信する区間において雑音レベルと同等の受信ＳＲＳレベルしか測定できない場合には、ｅＮＢは、端末に対して、ＳＲＳに対する適切な送信電力値を新たに指示すると共に、ＳＲＳを再送信（トリガー）する指示を行うという１つの動作で対応することが可能となる。
【０１１１】
なお、複数Ｓｃｅｌｌに複数ＳＲＳがある場合においては、Ｓｃｅｌｌの全てのＳＲＳをドロップしてもよい。また、上記の複数Ｓｃｅｌｌに複数ＳＲＳがある場合の電力スケーリング方法を、適用してもよい。
【０１１２】
なお、上記では、ＳＲＳとＰＵＣＣＨを同時送信する場合において、電力スケーリングが発生する場合に関して述べたが、発生しない場合においては、ＳＲＳとＰＵＣＣＨを複数ＣＣ間で同時送信すればよい。
【０１１３】
電力スケーリング方法１４
電力スケーリング方法１４では、（ピリオディック／アペリオディック）ＳＲＳとＰＵＳＣＨを同時送信する場合、Ｒｅｌ．８ ＬＴＥにおいて、２０ＭＨｚ等の帯域を有する１ＣＣだけでの運用であるため、１ＣＣ内でのＳＲＳとＰＵＳＣＨの同時送信時には、送信信号のＰＡＰＲ（Peak-to-Average Power Ratio）の増加（マルチキャリア送信）を避けるため、ＰＵＳＣＨに対しては、レートマッチング（パンクチャリング）により１サブフレームの最終ＳＣ−ＦＤＭＡシンボルを送信しないＰＵＳＣＨが用いられ、１サブフレームの最終ＳＣ−ＦＤＭＡシンボルでは、ピリオディックＳＲＳだけが送信される（図１９参照）。
【０１１４】
一方、複数ＣＣを用いるＬＴＥ−Ａでは、ＰＵＳＣＨを送信するＣＣとＳＲＳを送信するＣＣの複数ＣＣでの同時送信の導入が検討されている。従って、１サブフレームの最終ＳＣ−ＦＤＭＡシンボルでのＣＣ間でのＰＵＳＣＨとＳＲＳの同時送信時に、ＵＥ個別の最大送信電力を超えた場合においては、電力スケーリングを行う必要がある。すなわち、ＰＵＳＣＨとＳＲＳの電力割当優先度を決める必要がある。
【０１１５】
上記したように、非文献文献１において、以下に示すような電力スケーリング発生時の優先度が記載されている。
ＰＵＣＣＨ＞ＳＲＳ＞ＰＵＳＣＨ
【０１１６】
しかしながら、（ピリオディック／アペリオディック）ＳＲＳとＰＵＳＣＨを同時送信する場合おいて、非文献文献１には以下に示す課題がある。すなわち、ＳＲＳの送信電力よりＰＵＳＣＨの送信電力の電力割当優先度を低くするというルールに基づき、ＵＥ個別の最大送信電力を満たすようにＰＵＳＣＨの送信電力を（中途半端に）低減した場合、ＰＵＳＣＨで送信するデータ（又は、制御情報）に１６ＱＡＭや６４ＱＡＭ等の多値振幅変調を用いる場合においては、ｅＮＢは電力スケーリングされた多値振幅変調を正しく受信できない確率が増加する。例えば、電力スケーリングにより、送信時点においてすでに、電力スケーリングされた多値変調信号の変調精度、ＥＶＭ（Error Vector Magnitude）が所定条件を満たしていなくなる確率が増加する。また、例えば、１６ＱＡＭ等の多値振幅変調は振幅（電力の平方根）に情報を載せているが、上記したように、ｅＮＢは端末の電力スケーリングがいつ発生したか等の情報を基本的には持ち合わせないため、ｅＮＢは、ＰＵＳＣＨが電力スケーリングされていないものと仮定して復調及び復号するため、正しく受信できなくなる確率も増加する。
【０１１７】
そこで、（ピリオディック／アペリオディック）ＳＲＳとＰＵＳＣＨを同時送信する場合の電力スケーリング方法１４では、電力スケーリング制御部１０９において、ＰＵＳＣＨの送信電力は保持し（変化させず）、（Ｓｃｅｌｌの）ＳＲＳの送信電力をドロップする（送信しない、または送信電力＝０に設定する）ことにより、電力スケーリングを行う。
【０１１８】
これにより、ＳＲＳをドロップすることにより、電力スケーリング方法３と同様の効果が得られるのに加えて、ＣＣ間での複雑な電力割当制御を簡単化できる。また、上記と同様にテスト工数を削減することもできる。また、ＰＵＳＣＨの上記問題が発生することを回避でき、１６ＱＡＭ等の多値振幅変調も正しく送信できる確率が増加する。
【０１１９】
図２０に、電力スケーリング方法１４の概要を示す。図２０では、ＣＣ＃０では送信なし、ＣＣ＃１ではＰＵＳＣＨ（with ＵＣＩ）、ＣＣ＃２ではＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信されるＰＵＳＣＨ（with ＵＣＩ）とＳＲＳチャネルの送信電力合計値がＵＥ固有の最大送信電力を超えた場合、ＣＣ＃１のＰＵＳＣＨ（with ＵＣＩ）電力は維持し（変化させずに）、Ｓｃｅｌｌに設定されているＣＣ＃２のＳＲＳをドロップすることにより、電力スケーリングを行う動作を示している。
【０１２０】
上記電力スケーリング方法１４は、ＰＵＳＣＨにＵＣＩを多重する場合、すなわち、ＵＣＩ多重ありのＰＵＳＣＨと（ピリオディック／アペリオディック）ＳＲＳを同時送信する場合の電力スケーリング方法として用いるのが望ましい。これにより、再送に適用されない重要度の高いＵＣＩを正しくｅＮＢに伝送できる確率を高めることができる。
【０１２１】
電力スケーリング方法１５
ＰＵＳＣＨにＵＣＩを多重しない場合においては、電力スケーリング方法１４とは反対に、（ピリオディック／アペリオディック）ＳＲＳとＰＵＳＣＨを同時送信する場合の電力スケーリング方法１５として、電力スケーリング制御部１０９において、ＳＲＳの送信電力は保持し（変化させず）、ＰＵＳＣＨの送信電力をドロップする（送信しない、または送信電力＝０に設定する）ことにより、電力スケーリングを行ってもよい。ＵＣＩ多重なしのＰＵＳＣＨ、つまり、再送が適用されるＵＣＩ多重なしのＰＵＳＣＨに対しては、ＳＲＳの優先度を高めてもよい。これにより、シンプルなＣＣ間での電力割当処理を行いつつ、上記方法３と同様にＳＲＳの測定精度を高められる。
【０１２２】
図２１に、電力スケーリング方法１５の概要を示す。図２１では、ＣＣ＃０では送信なし、ＣＣ＃１ではＳＲＳ、ＣＣ＃２ではＰＵＳＣＨ（without ＵＣＩ）を同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信されるＰＵＳＣＨ（without ＵＣＩ）とＳＲＳチャネルの送信電力合計値がＵＥ固有の最大送信電力を超えた場合、ＣＣ＃１のＳＲＳ電力は維持し（変化させずに）、Ｓｃｅｌｌに設定されているＣＣ＃２のＰＵＳＣＨ（without ＵＣＩ）をドロップすることにより、電力スケーリングを行う動作を示している。
【０１２３】
なお、（ピリオディック／アペリオディック）ＳＲＳとＵＣＩ多重ありＰＵＳＣＨを同時送信する場合には、電力スケーリング方法１４を、（ピリオディック／アペリオディック）ＳＲＳとＵＣＩ多重なしＰＵＳＣＨを同時送信する場合には、電力スケーリング方法１５を、切り替えて使用してもよい。換言すると、図２０に示すように、ＰｃｅｌｌでＰＵＳＣＨ with ＵＣＩを送信し、ＳｃｅｌｌでＳＲＳを送信する場合には電力スケーリング方法１４を用い、図２１に示すように、ＰｃｅｌｌでＳＲＳを送信し、ＳｃｅｌｌでＰＵＳＣＨ without ＵＣＩを送信する場合には電力スケーリング方法１５を用いればよい。これにより、ＵＣＩの高品質な伝送を維持しつつ、上記電力スケーリング方法３と同様にＳＲＳの測定精度を高めることができる。
【０１２４】
なお、上記では、ＳＲＳとＰＵＳＣＨを同時送信する場合において、電力スケーリングが発生する場合に関して述べたが、発生しない場合においては、ＳＲＳとＰＵＳＣＨを複数ＣＣ間で同時送信すればよい。
【０１２５】
また、上記各電力スケーリング方法を組み合わせて使用してもよい。
【０１２６】
（実施の形態２）
実施の形態１では、複数アップリンクチャネル（ＳＲＳ、ＰＵＳＣＨ、ＰＵＣＣＨ等）を同時送信する場合において、複数ＣＣ（ｃｅｌｌ）で送信される複数アップリンクチャネルの送信電力合計値がＵＥ固有の最大送信電力を超えた場合の電力スケーリング方法を述べた。しかしながら、実施の形態１に記載の全ての電力スケーリング方法は、複数ＣＣ（ｃｅｌｌ）で送信される複数アップリンクチャネルの送信電力合計値がＵＥ固有の最大送信電力を超えない場合、かつ、複数ｃｅｌｌ（例えば、Ｐｃｅｌｌ及び複数Ｓｃｅｌｌ）、又は、複数ＣＣ（例えば、ＰＣＣ及び複数ＳＣＣ）での複数アップリンクチャネル同時送信（ＳＲＳの同時送信、ＳＲＳとＰＵＳＣＨの同時送信、ＳＲＳとＰＵＣＣＨの同時送信など）が発生した場合にも用いることができる。
【０１２７】
実施の形態２では、複数ｃｅｌｌ（例えば、Ｐｃｅｌｌ及び複数Ｓｃｅｌｌ）、又は、複数ＣＣ（例えば、ＰＣＣ及び複数ＳＣＣ）で複数アップリンクチャネル同時送信（ＳＲＳの同時送信、ＳＲＳとＰＵＳＣＨの同時送信、ＳＲＳとＰＵＣＣＨの同時送信など）が発生した場合における、実施の形態１に記載の電力スケーリング方法に関して改めて詳述する。
【０１２８】
まず、実施の形態２の背景を簡単に述べる。
【０１２９】
端末からの複数ＵＬチャネルの送信信号の増幅のために、各ＵＬチャネルに対して１つの増幅器（ＰＡ：Power Amplifier）を用い、複数のＰＡを端末に搭載すると、端末のコストを増加させ、また、端末の小型化を妨げる（端末サイズを増加させる）要因となるため、複数ＵＬチャネル（ＣＣ、Ｃｅｌｌ、搬送波、周波数帯域など）を１つのＰＡでカバー、即ち、複数のＵＬチャネルの送信信号を１つのＰＡで増幅するという端末の実装方法も用いられる。この場合、複数のＵＬチャネルの同時送信（マルチキャリア送信）信号の大きなＰＡＰＲ（Peak-to-Average Power Ratio）が、電力（電圧）の入出力特性に非線形性を有するＰＡに大きな影響を与える。例えば、ＰＡの電力効率を劣化させる。または、増幅後の信号に大きな非線形歪を発生させる。特に、大きな送信電力を必要とする、送信電力に余力のない（ＰＨＲ(Power Head Room)の値が小さい）セルエッジ端末などへの影響が大きい。
【０１３０】
従って、複数ＵＬチャネルの同時送信時に、複数ＵＬチャネルの送信信号がＰＡへ与える影響を和らげる（送信信号のＰＡＰＲの増加を避ける）ため、複数ＵＬチャネルの中で、あるＵＬチャネルの送信電力を低減する方法、送信しないＵＬチャネルを設定する方法が用いられる。即ち、複数ｃｅｌｌ（例えば、Ｐｃｅｌｌ及び複数Ｓｃｅｌｌ）、又は、複数ＣＣ（例えば、ＰＣＣ及び複数ＳＣＣ）での複数アップリンクチャネル同時送信（ＳＲＳの同時送信、ＳＲＳとＰＵＳＣＨの同時送信、ＳＲＳとＰＵＣＣＨの同時送信など）が発生した場合に、複数ＵＬチャネルに対して電力スケーリングを適用する。
【０１３１】
従って、複数ＣＣ（ｃｅｌｌ）で送信される複数アップリンクチャネルの送信電力合計値がＵＥ固有の最大送信電力を超えない場合においても、複数ｃｅｌｌ、又は、複数ＣＣでの複数アップリンクチャネル同時送信が発生した場合には、上記した実施の形態１と同様の課題が発生する。つまり、上記非特許文献１に開示の技術では、以下に示す課題がある。すなわち、複数ピリオディックＳＲＳを複数ＣＣで同時送信する際に、電力スケーリングを適用する場合の電力割当優先度に、再送が適用されない、重要度の高いＵＣＩを多重するＣＣ選択方法の影響が考慮されていない。ＵＣＩは、低遅延で端末からｅＮＢに通知する必要があるため、１回の送信での伝送だけがサポートされる。
【０１３２】
従って、上記非特許文献１に開示の技術に基づいて設定された電力割当優先度の低いＣＣ（ｅＮＢでの、ＣＱＩ測定誤差が大きくなる（測定精度が悪くなる）可能性の高いＣＣ）がＵＣＩを多重するＣＣに該当する場合、該当ＣＣでは、電力スケーリング（送信電力が低減）されたＳＲＳを用いて導出された通信品質（例えば、ＳＩＮＲ：Signal-to-Interference plus Noise power Ratio）測定誤差が大きい（測定精度が悪い）ため、ｅＮＢは後続のサブフレームで伝送するＵＣＩに対して適切な送信電力（または、ＭＣＳ：Modulation and channel Coding Scheme）値を通知できない。
【０１３３】
例えば、複数ＳＲＳの複数ＣＣでの同時送信時に、ＵＥが、上記非特許文献１に開示の技術に基づいて、あるＵＬ ＣＣ ＩＤ番号の小さいＣＣのＳＲＳに対して電力スケーリング（送信電力の低減）を行った場合、ｅＮＢは、受信レベルが低下した受信ＳＲＳを用いて該当ＣＣの通信品質を測定する。
【０１３４】
しかしながら、ｅＮＢはＳＲＳの受信レベル低下理由を、端末での電力スケーリングの影響ではなく、時間的に変動しやすい移動通信の伝搬チャネルの品質が劣悪になったと誤認識する可能性がある。また、各ＵＬチャネル用の送信電力制御によって、受信品質測定のために必要な所定の要求条件値を満たすように、正しく送信電力が制御されているＳＲＳに対して、電力スケーリング（送信電力の低減）を行った場合、その要求条件を満たさなくなる。
【０１３５】
従って、ｅＮＢは、誤認識した、または、所定の要求値を満たしていない受信ＳＲＳから得られた通信品質測定値を用いて、後続の、ＰＵＳＣＨ等のＵＬチャネルの伝送に対して、所定受信品質を満たすのに必要な値以上の大きな送信電力値（低いＭＣＳ値）を用いるように端末に通知してしまう。つまり、この場合、後続のＰＵＳＣＨ等のＵＬチャネルにおいて、過剰な品質のＵＬチャネルの伝送が行われてしまう（送信電力を大きくするように指示した場合は、他セルへの同一チャネル干渉を増加させてしまう。また、端末の消費電力を不必要に増加させてしまう等の新たな課題を引き起こす）。特に、ｅＮＢが所定の要求値を満たしていない受信ＳＲＳから得られた通信品質測定値を用いて、重要度の高いＵＣＩが多重されたＰＵＳＣＨやＰＵＣＣＨに対して適切ではない送信電力値（ＭＣＳ値）を通知した場合には、ＵＣＩには再送が適用されないため、システムの制御に大きな影響を与える。
【０１３６】
つまり、実施の形態１と同様の課題が発生する。従って、実施の形態２でも、上記した着眼点に基づいて、実施の形態１と同様の電力スケーリング方法の発明をなすに到った。
【０１３７】
以下、図２を用いて、実施の形態２の端末１００の構成および処理について説明する。ただし、実施の形態１と実施の形態２の相違する点に焦点を当てて説明する。
【０１３８】
制御情報抽出部１０６までの一連の処理は、実施の形態１と同様の処理が行われ、制御情報抽出部１０６は、チャネル復号部１０５から出力された信号から、ＵＬグラント（UL grant）情報（割当帯域幅、ＭＣＳセット、ＰＵＳＣＨやＳＲＳやＰＵＣＣＨ等の送信電力情報（TPC command、ＭＣＳ等の送信フォーマット依存値ΔTF、ＳＲＳ用のオフセット値PSRS_offset等）、アペリオディックＳＲＳトリガー情報など）、ＤＬグラント（DL grant）情報（ＰＵＣＣＨ等の送信電力情報、アペリオディックＳＲＳトリガー情報など）、ＵＣＩ要求（トリガー）情報、Ｐｃｅｌｌ／Ｓｃｅｌｌ、ＰＣＣ／ＳＣＣなどのＣＣ／ｃｅｌｌ情報等、制御情報を抽出して送信電力計算部１０７に出力する。
【０１３９】
送信電力計算部１０７は、制御情報抽出部１０６から出力された制御情報、ＣＣ個別（各ＵＬチャネル）最大送信電力（ＰＡのパワクラス、ＭＰＲ等)、パスロス（推定値）情報、上位層での送信電力関連通知情報（パスロス補償係数、Ｐ＿ｏ（ターゲット受信レベル値）等）などを用いて、複数ＵＬチャネル（ＣＣ毎）の送信電力を計算する。具体的な計算方法は、非特許文献３に記載のＰＵＳＣＨ、ＰＵＣＣＨ及びＳＲＳの送信電力計算式などを用いる。送信電力計算部１０７は、複数ＵＬチャネル（ＣＣ毎）の送信電力値を電力スケーリング検出部１０８及び電力スケーリング制御部１０９に出力する。
【０１４０】
電力スケーリング検出部１０８は、送信電力計算部１０７から出力されたＵＬチャネルの送信電力値が複数あるか否かの検出を行う（複数ＵＬチャネルの同時送信が発生するか否かを検出する）。ＵＬチャネルの送信電力値が複数ない（単数の）場合は、「電力スケーリングの必要なし」という制御情報を電力スケーリング制御部１０９に出力する。逆に、ＵＬチャネルの送信電力値が複数ある場合は、「電力スケーリングの必要あり」という制御情報を電力スケーリング制御部１０９に出力する。
【０１４１】
電力スケーリング制御部１０９では、電力スケーリング検出部１０８から出力された電力スケーリング発生の有無情報「電力スケーリングの必要なし、または、あり」に従って、「電力スケーリングの必要あり」の場合は各ＵＬチャネル（ＳＲＳ、ＰＵＳＣＨ、ＰＵＣＣＨなど）に対して送信電力のスケーリングを行い、複数ＵＬチャネル（ＣＣ）毎の送信電力を決定する。電力スケーリング後の送信電力情報を送信電力設定部１１２−１〜１１２−Ｎに出力する。なお、ＳＲＳの電力スケーリング方法の詳細は後述する。
【０１４２】
以降の処理（図２の場合）、符号化及び変調部１１０−１〜１１０−Ｎから無線送信処理部１１５までの一連の処理は、実施の形態１と同じため省略する。ＳＲＳが送信されるＣＣでは、送信電力設定部１１２−１〜１１２−ＮにＳＲＳが入力され、電力スケーリング制御部１０９から入力された情報に基づいてＳＲＳの送信電力が設定される。
【０１４３】
複数ＳＲＳ同時送信時のＳＲＳに対する電力スケーリング方法１−Ａ〜１２−Ａについて説明する。
【０１４４】
電力スケーリング方法１−Ａ
電力スケーリング方法１−Ａでは、まず、送信電力計算部１０７において、複数ＣＣの複数ＵＬチャネルの送信電力を計算する。
【０１４５】
次に、電力スケーリング検出部１０８において、複数ＣＣで送信されるＵＬチャネルの送信電力値が複数あるか否かの検出を行う（複数ＵＬチャネルの同時送信が発生するか否かを検出する）。すなわち、電力スケーリングが発生するか否かを検出する。
【０１４６】
次に、電力スケーリング制御部１０９において、Ｐｃｅｌｌ（ＰＣＣ）及びＳｃｅｌｌ（ＳＣＣ）を用いて、複数（ピリオディック又はアペリオディック）ＳＲＳを同時送信する場合において、電力スケーリング（複数ＵＬチャネルの同時送信）が発生した場合には、同時に送信する複数（ピリオディック又はアペリオディック）ＳＲＳの中で、ＳｃｅｌｌのＳＲＳより、ＰｃｅｌｌのＳＲＳの送信電力を優先して電力割当を行う。
【０１４７】
図４に、電力スケーリング方法１−Ａの概要を示す。図４では、３ＣＣ（ＣＣ＃０〜ＣＣ＃２）において、ＳＲＳを同時に送信している。例えば、１サブフレームの最終シンボル位置（図３）において、３ＣＣでＳＲＳだけ送信している。そして、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、Ｐｃｅｌｌ及びＳｃｅｌｌから構成される、３ＣＣで送信されるＳＲＳチャネルの送信電力値が複数ある（複数ＳＲＳチャネルの同時送信が発生する）場合、Ｓｃｅｌｌに設定されているＣＣ＃０及びＣＣ＃２より、Ｐｃｅｌｌに設定されているＣＣ＃１のＳＲＳに対して送信電力を優先的に割り当てる動作を示している。
【０１４８】
これにより、電力割当優先度の低いＳＲＳのＣＣ（ＣＱＩ測定誤差が大きくなる確率の高いＣＣ）が、ＵＣＩを多重するＣＣと同一のＣＣとなる確率を低減できる。例えば、図４に示すように、電力割当優先度の低いＳｃｅｌｌのＣＣ＃０とＣＣ＃２が、ＵＣＩが多重されるＣＣと同一のＣＣとなる可能性を低減できる。従って、ＵＣＩが多重される確率の高いＰｃｅｌｌの伝搬チャネル品質情報（ＣＱＩ:Channel Quality Indicator）を電力割当優先度の高いＳＲＳにより高精度に推定でき、ｅＮＢは後続のＵＣＩを伝送するＵＬチャネル（例えば、データとＵＣＩ多重ありのＰＵＳＣＨ、ＵＣＩを多重するＰＵＣＣＨなど）に対して適切な送信電力（ＭＣＳ）を指示できる。すなわち、ＵＣＩを送信するＵＬチャネルに用いる送信フォーマットを過剰品質にすることなく送信することができる。また、他セルへの同一チャネル干渉、端末の消費電力を不必要に増加させずに伝送することができる。つまり、ｅＮＢは、所定の要求値を満たしたＰｃｅｌｌの受信ＳＲＳから得られた通信品質測定値を用いて、重要度の高いＵＣＩが多重されたＰＵＳＣＨやＰＵＣＣＨに対して適切な送信電力値（ＭＣＳ値）を通知でき、再送が適用されないＵＣＩを正しく伝送することができる。
【０１４９】
電力スケーリング方法２−Ａ
電力スケーリング方法２では、電力スケーリング制御部１０９において、ＰｃｅｌｌのＳＲＳの送信電力を、ＣＣ個別の（各ＵＬチャネルに対する）最大送信電力以下に設定し（ＣＣ個別な最大送信電力の条件は満たしつつ）、ＰｃｅｌｌのＳＲＳの送信電力は保持し（変化させず）、Ｓｃｅｌｌの送信電力を低減することにより、電力スケーリングを行う。
【０１５０】
図５に、電力スケーリング方法２−Ａの概要を示す。図５では、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、Ｐｃｅｌｌ及びＳｃｅｌｌから構成される、３ＣＣで送信されるＳＲＳチャネルの送信電力値が複数ある（複数ＳＲＳチャネルの同時送信が発生する）場合、Ｐｃｅｌｌに設定されているＣＣ＃１のＳＲＳ電力は維持し（変化させずに）、Ｓｃｅｌｌに設定されているＣＣ＃０及びＣＣ＃２のＳＲＳの送信電力を低減させることにより、電力スケーリングを行う動作を示している。
【０１５１】
これにより、端末毎に設定されるＰｃｅｌｌのＳＲＳの送信電力を、ＣＣ毎（各ＵＬチャネル）の最大送信電力以下にするという条件を満たすことにより、優先して使われるＰｃｅｌｌに設定されるＣＣの他セルへの同一チャネル干渉をある所定値以下に維持でき、各ｅＮＢでＣＣ毎のスケジューリングやクロスキャリアスケジューリングを行いやすくできる。また、ＰｃｅｌｌのＳＲＳの送信電力レベルは確実に保持する（変化させない）ことにより、電力スケーリング方法１−Ａの場合と比較して、Ｐｃｅｌｌの（ピリオディック又はアペリオディック）ＳＲＳの伝搬チャネル品質測定を更に高精度に行うことができる。
【０１５２】
つまり、Ｐｃｅｌｌの受信ＳＲＳから求めたＰｃｅｌｌの通信品質情報を、端末での電力スケーリングの影響を受けていない情報にすることができる（ｅＮＢとＵＥ間で、ＵＥの送信電力に関する誤認識を生じさせない、または、所定の要求値を満たした受信ＳＲＳから得られた通信品質測定値を用いることができる）ため、ｅＮＢは、ＵＣＩが送信される可能性の高いＰｃｅｌｌにおいて、後続するスケジューリング（リソース割当）、送信電力（ＡＭＣ：Adaptive Modulation channel Coding）制御において、更に適切に動作させることができる。よって、送信電力（ＡＭＣ）制御などにおいて大きなマージンを取るような消極的な制御を行わなくてもよいという効果が得られる。
【０１５３】
電力スケーリング方法３−Ａ
電力スケーリング方法３−Ａでは、電力スケーリング制御部１０９において、ＰｃｅｌｌのＳＲＳの送信電力は保持し（変化させず）、ＳｃｅｌｌのＳＲＳをドロップする（送信しない、または、送信電力＝０に設定する）ことにより、電力スケーリングを行う。
【０１５４】
図６に、電力スケーリング方法３−Ａの概要を示す。図６では、図４及び図５と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、Ｐｃｅｌｌ及びＳｃｅｌｌから構成される、３ＣＣで送信されるＳＲＳチャネルの送信電力値が複数ある（複数ＳＲＳチャネルの同時送信が発生する）場合、Ｐｃｅｌｌに設定されているＣＣ＃１のＳＲＳ電力は維持し（変化させずに）、Ｓｃｅｌｌに設定されているＣＣ＃２のＳＲＳをドロップすることにより、電力スケーリングを行う動作を示している。
【０１５５】
これにより、ＳｃｅｌｌのＳＲＳをドロップすることにより、電力スケーリング方法１−Ａの効果に加えて、ＣＣ間での複雑な電力割当制御を簡単化できる。また、ＬＴＥ−Ａでは、ＳＲＳを送信する場合は、１４シンボルから構成される１サブフレームの最終シンボルだけにＳＲＳが多重されるため、そのシンボルだけをドロップしても、spectrum efficiencyに与える影響は小さい。例えば、１ＣＣだけでＳＲＳを送信する場合においては１／１４＝７％のインパクトで済む。更に、ＳＲＳが送信される頻度（周期）は、例えば、ピリオディックＳＲＳの場合は１０ｍｓに１回程度であり、データが送信される頻度に比べて大幅に小さいため、spectrum efficiencyに与える影響は更に小さくなる（データの場合、最小１ｍｓに１回の伝送が可能である）。
【０１５６】
また、ＳＲＳをドロップすることにより、ｅＮＢが伝搬チャネルの品質が劣悪になったと誤認識する可能性を低減でき、また、受信品質測定のための所定の要求条件値を満たさなくなる、（スケーリングされた）無駄なＳＲＳの送信を回避することができる。つまり、端末の不必要な電力消費を低減することができる。
【０１５７】
なお、実施の形態２において、一律に、複数Ｓｃｅｌｌの全ＳＲＳをドロップしてもよい。図７では、ＣＣ＃０〜ＣＣ＃２で同時にＳＲＳを送信する場合において、ＳｃｅｌｌのＣＣ＃０とＣＣ＃２の２つのＳＲＳをドロップする場合を示している。これにより、ＣＣ間での電力割当処理に必要な演算を省略でき、上記と同様の効果を得つつ、ＬＴＥ−Ａの商用化において不可欠な、電力スケーリングに関する端末（又はｅＮＢ）のテスト工数を大幅に削減できる。また、端末の不必要な電力消費を更に低減することができる。
【０１５８】
また、ＳｃｅｌｌでピリオディックＳＲＳとアペリオディックＳＲＳが送信される場合には、アペリオディックＳＲＳよりピリオディックＳＲＳを優先的にドロップしてもよい。
【０１５９】
アペリオディックＳＲＳは、ＬＴＥ−Ａで新たに導入されるＳＲＳであり、ｅＮＢが新しい品質情報を低遅延で測定するために、物理層のダウンリンク制御チャネルであるＰＤＣＣＨによってトリガーされる。一方、ピリオディックＳＲＳ（の送信周期、トリガー、タイマー等）は、上位層のシグナリングでconfigurationされるため、低速な制御しか行うことができない。従って、このアペリオディックＳＲＳの特長（ＳＲＳを用いたＣＱＩ測定に関するｅＮＢの直近の判断）を電力スケーリング処理に反映しつつ、上記と同様の効果が得られる。
【０１６０】
図８は、同一サブフレームの同一シンボル位置（例えば、サブフレームの最終シンボル位置）において、ＳｃｅｌｌのＣＣ＃０にアペリオディックＳＲＳがトリガーされ、ＳｃｅｌｌのＣＣ＃２にピリオディックＳＲＳがトリガーされ、ＰｃｅｌｌのＣＣ＃１では何も送信されない場合において、ＳｃｅｌｌのＣＣ＃２におけるピリオディックＳＲＳがドロップされる様子を示している。
【０１６１】
電力スケーリング方法４−Ａ
電力スケーリング方法４−Ａでは、ＳｃｅｌｌのＳＲＳが複数ある場合において、電力スケーリング制御部１０９は、（ＰｃｅｌｌのＳＲＳの送信電力は保持し（変化させず））送信電力が小さい（又は最小の）ＳｃｅｌｌのＳＲＳ送信電力から順番に、送信電力を低減（ドロップ、送信電力＝０に設定（送信しない））する。
【０１６２】
図９に、電力スケーリング方法４−Ａの概要を示す。図９では、図４及び図５と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。また、電力スケーリング前のＳｃｅｌｌのＳＲＳの送信電力は、ＣＣ＃０のＳＲＳよりＣＣ＃２のＳＲＳの方が大きい。このような状況下において、Ｐｃｅｌｌ及びＳｃｅｌｌから構成される、３ＣＣで送信されるＳＲＳチャネルの送信電力値が複数ある（複数ＵＬチャネルの同時送信が発生する）場合、送信電力が小さい（又は最小の）Ｓｃｅｌｌに設定されている送信ＣＣ＃０のＳＲＳを優先的にドロップすることにより、電力スケーリングを行う。
【０１６３】
これにより、送信電力が小さいＳＲＳほど、ｅＮＢにおいて受信可能なＳＲＳ検出レベル（例えば、ｅＮＢでの雑音レベル）を下回る可能性が高いため、Ｓｃｅｌｌの送信電力が小さいＳＲＳの送信電力を優先的に低減することで、Ｐｃｅｌｌでの高精度品質測定を維持しつつ、送信電力を低減しないＳｃｅｌｌのＳＲＳを用いた測定精度を維持できる。
【０１６４】
電力スケーリング方法５−Ａ
電力スケーリング方法５−Ａでは、ＳｃｅｌｌのＳＲＳが複数ある場合において、電力スケーリング制御部１０９は、（ＰｃｅｌｌのＳＲＳの送信電力は保持し（変化させず））Ｓｃｅｌｌの複数ＳＲＳ送信電力を一様に低減（同一の送信電力値の低減、同一のスケーリング（ウェイト）を適用）する。
【０１６５】
図１０に、電力スケーリング方法５−Ａの概要を示す。図１０では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、Ｐｃｅｌｌ及びＳｃｅｌｌから構成される、３ＣＣで送信されるＳＲＳチャネルの送信電力値が複数ある（複数ＵＬチャネルの同時送信が発生する）場合、Ｓｃｅｌｌに設定されているＣＣ＃０及びＣＣ＃２の送信電力を一様に低減している様子を示している。一様に送信電力を低減する方法としては、同一の送信電力値（真値、デシベル値）の低減、同一の（ＬＴＥ−Ａで適用される）スケーリング（ウェイト）を適用する方法などを用いてもよい。なお、ＳＲＳの送信電力低減に用いるスケーリングウェイトとして、ＳＲＳ用のスケーリングウェイトを用いてもよいし、他のＵＬチャネル（例えば、ＰＵＳＣＨ、ＰＵＳＣＨ with ＵＣＩ、ＰＵＳＣＨ without ＵＣＩ）と同一のスケーリングウェイトをＳＲＳに用いてもよい。ここで、スケーリングウェイトとは、ｅＮＢから端末へ事前に通知するパラメータである。
【０１６６】
これにより、Ｐｃｅｌｌでの高精度品質測定を維持しつつ、ＣＣ間での複雑な電力割当制御を簡単化できる。
【０１６７】
電力スケーリング方法６−Ａ
電力スケーリング方法６−Ａでは、ＳｃｅｌｌのＳＲＳが複数ある場合において、電力スケーリング制御部１０９は、Ｓｃｅｌｌの全ＳＲＳ（ＳｃｅｌｌのＳＲＳを一律に）ドロップする（送信しない、または送信電力＝０に設定）。
【０１６８】
図１１に、電力スケーリング方法６−Ａの概要を示す。図１１では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、Ｐｃｅｌｌ及びＳｃｅｌｌから構成される、３ＣＣで送信されるＳＲＳチャネルの送信電力値が複数ある（複数ＵＬチャネルの同時送信が発生する）場合、Ｓｃｅｌｌに設定されているＣＣ＃０及びＣＣ＃２のＳＲＳを一律にドロップする様子を示している。
【０１６９】
これにより、上記電力スケーリング方法３−Ａと同様の効果を得つつ、ＣＣ間での複雑な電力割当制御を簡単化できる。また、ＬＴＥ−Ａの商用化において、不可欠な端末（又はｅＮＢ）のテスト工数を大幅に削減できる。例えば、複数ＳｃｅｌｌのＳＲＳの全ての送信組合せに対してテストを行うための仕様などを決定しなければならないが、そのテスト自体、テスト仕様の策定の工数自体を削減することができる。また、端末の不必要な電力消費を低減することができる。
【０１７０】
なお、Ｓｃｅｌｌに複数ＳＲＳがある場合に、一律に全てのＳＲＳをドロップせずに、ＣＣ（ｃｅｌｌ）番号の順（昇順／降順）にドロップしてもよい。
【０１７１】
電力スケーリング方法７−Ａ
電力スケーリング方法７−Ａでは、電力スケーリング制御部１０９は、複数ＳＲＳの中で最大送信電力を有するＳＲＳの送信電力から、ＳｃｅｌｌのＳＲＳ送信電力が所定の閾値以上の場合に、ＳｃｅｌｌのＳＲＳの送信電力を低減又はドロップする（送信しない、または送信電力＝０に設定）。
【０１７２】
図１２に、電力スケーリング方法７−Ａの概要を示す。図１２では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、３ＣＣで送信されるＳＲＳチャネルの送信電力値が複数ある（複数ＵＬチャネルの同時送信が発生する）場合、複数ＳＲＳの中で最大送信電力を有するＳＲＳの送信電力から、ＳｃｅｌｌのＳＲＳ送信電力が所定の閾値以上の場合に、ＳｃｅｌｌのＳＲＳをドロップする様子を示している。図１２では、ＳｃｅｌｌのＣＣ＃２のＳＲＳが、ＰｃｅｌｌのＣＣ＃１のＳＲＳの最大送信電力から所定値以上の場合に該当している。
【０１７３】
ＣＣ間でのＳＲＳの送信電力差が大きい場合、送信電力の大きいＣＣのＳＲＳの相互変調歪が、異なるＣＣのＳＲＳの送信電力より大きくなる場合が生じる。この相互変調歪は、送信フィルタで取り除くことができない。すなわち、このような場合にそのまま送信してしまうと、ｅＮＢは相互変調歪の影響を受けたＳＲＳで該当ＣＣの通信品質を測定してしまい、正しいスケジューリング、送信電力制御ができない。従って、ＳＲＳの最大送信電力からＳｃｅｌｌのＳＲＳ送信電力が所定の閾値以上の場合に、ＳｃｅｌｌのＳＲＳをドロップすることにより、上記課題を回避することができる。
【０１７４】
なお、閾値の設定方法として、パスロス（測定）値等に応じて適応的にその値を変化させてもよい。
【０１７５】
また、基準値として、複数ＳＲＳの最大送信電力を有するＳＲＳの送信電力ではなく、同時送信ＵＬチャネル中で最大送信電力を有するチャネルの送信電力としてもよい。これにより、同様の効果が得られる。
【０１７６】
電力スケーリング方法８−Ａ
電力スケーリング方法８−Ａでは、電力スケーリング制御部１０９は、ＳｃｅｌｌのＳＲＳ送信電力がある閾値以下の場合に、ＳｃｅｌｌのＳＲＳの送信電力を低減又はドロップする（送信しない、または送信電力＝０に設定）。
【０１７７】
図１３に、電力スケーリング方法８−Ａの概要を示す。図１３では、上記と同様に、３ＣＣ（ＣＣ＃０〜ＣＣ＃２）において、ＳＲＳを同時に送信しており、基地局から（上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、３ＣＣで送信されるＳＲＳチャネルの送信電力値が複数ある（複数ＵＬチャネルの同時送信が発生する）場合、複数ＳＲＳの中で、ＳｃｅｌｌのＳＲＳ送信電力がある閾値以下の場合に、ＳｃｅｌｌのＳＲＳをドロップする様子を示している。
【０１７８】
ＣＣのＳＲＳの送信電力が小さすぎる場合には、端末（送信側）のＤ／Ａ（Digital/Analog）変換器の解像度において、送信信号を正しく表現することができなくなる。しかしながら、閾値を導入し、閾値以下の送信電力を有するＳＲＳをドロップすることにより、無駄な送信処理（低い送信電力値まで考慮（カバー）したＤ／Ａの複雑な設計）を回避することができる（無駄な送信電力の消費を回避することができる）。
【０１７９】
電力スケーリング方法９−Ａ
電力スケーリング方法９−Ａでは、電力スケーリング制御部１０９は、ピリオディックＳＲＳの送信周期の長さに応じて、ドロップする（電力割当優先度を低くする、送信電力を低減する、送信しない、送信電力をゼロに設定する）ＣＣのＳＲＳを選択する。具体的には、送信周期が長いピリオディックＳＲＳを優先的にドロップするＣＣのＳＲＳとして選択するか、または、送信周期が短いピリオディックＳＲＳを優先的にドロップするＣＣのＳＲＳとして選択する。
【０１８０】
送信周期が長いＳＲＳを優先的にドロップするＣＣのＳＲＳとして選択する場合、電力スケーリング方法３−Ａと同様の効果を維持しつつ、短区間チャネル変動に優先的に追随し、短区間フェージング変動に応じた適応変復調（ＡＭＣ：Adaptive Modulation and channel Coding）、時間−周波数領域スケジューリングを高精度に制御することが可能となり、ＵＥ個別のスループット、マルチユーザダイバーシチによるシステムスループットを改善することができる。
【０１８１】
また、送信周期が短いＳＲＳを優先的にドロップするＣＣのＳＲＳとして選択する場合、電力スケーリング方法３−Ａと同様の効果を維持しつつ、長区間のチャネル測定精度を高精度化することが可能となり、データ及び制御情報を送信するのに用いるＣＣの選択を適応的に行う、クロスキャリアスケジューリング制御を高精度に行うことが可能となる。
【０１８２】
電力スケーリング方法１０−Ａ
電力スケーリング方法１０−Ａでは、電力スケーリング制御部１０９は、ＳＲＳの帯域幅に応じて、ドロップする（電力割当優先度を低くする、送信電力を低減する、送信しない、送信電力をゼロに設定する）ＣＣのＳＲＳを選択する。具体的には、狭い帯域幅を有するＳＲＳより、広い帯域幅を有するＳＲＳを優先的にドロップするか、または、広い帯域幅を有するＳＲＳより、狭い帯域幅を有するＳＲＳを優先的にドロップする。
【０１８３】
狭い帯域幅を有するＳＲＳより、広い帯域幅を有するＳＲＳを優先的にドロップする場合、以下の効果が得られる。ＬＴＥ−Ａ（ＬＴＥ）のＵＬチャネル（ＰＵＳＣＨ及びＳＲＳ等）の送信電力は、送信帯域幅と電力スペクトラム密度（ＰＳＤ：Power Spectrum Density）によって決定される。従って、総送信電力の大きさへ与える影響が大きい帯域幅の広いＳＲＳの送信電力割当優先度を低くすることにより、できるだけ少ないドロップＳＲＳ数を可能とする。例えば、複数ＣＣでのＳＲＳ総帯域幅がＢという条件下で、１ＣＣのＳＲＳの帯域幅がＢの場合と、２ＣＣで各ＣＣのＳＲＳ帯域幅がＢ／２の場合を比較した場合、１ＣＣのＳＲＳの帯域幅がＢを優先的にドロップするほうが、ドロップするＣＣ数を削減できる。これは、データや制御情報などを伝送するＣＣを選択するために、ＳＲＳを用いてできるだけ多くのＣＣのサウンディング（sounding）を行う場合に、非常に有用である。また、帯域幅が広いほど相互変調歪の広がりも大きくなるため、帯域幅が広いＳＲＳの電力割当優先度を低くすることにより、他ＣＣへの広範囲にわたる帯域外漏洩電力（相互変調歪）の影響を軽減できる。
【０１８４】
なお、ここで、帯域幅の判定に閾値を導入し、ＳＲＳ間の帯域幅、又は、それらの差が閾値を超えた場合に該当ＳＲＳを優先的にドロップするようにしてもよい。
【０１８５】
また、ＣＣ毎の帯域幅とＳＲＳ帯域幅の比（例えば、ＳＲＳ帯域幅／ＣＣ毎の帯域幅）が大きいほど、該当するＣＣのＳＲＳの電力割当優先度を下げてもよい。
【０１８６】
一方、広い帯域幅を有するＳＲＳより、狭い帯域幅を有するＳＲＳを優先的にドロップする場合、以下の効果が得られる。１ＣＣ内だけの広い帯域幅にわたって伝搬チャネルの測定を行い、品質のよい周波数リソースに割り当てを行う場合において、広範囲の周波数帯の測定を一度に実施することができる。
【０１８７】
なお、ここで、帯域幅の判定に閾値を導入し、ＳＲＳ間の帯域幅、又は、それらの差が閾値を超えた場合に該当ＳＲＳを優先的にドロップするようにしてもよい。
【０１８８】
また、ＣＣ毎の帯域幅とＳＲＳ帯域幅の比（例えば、ＳＲＳ帯域幅／ＣＣ毎の帯域幅）が小さいほど、該当するＣＣのＳＲＳの電力割当優先度を下げてもよい。
【０１８９】
電力スケーリング方法１１−Ａ
電力スケーリング方法１１−Ａでは、ＳｃｅｌｌのＳＲＳが複数ある場合において、電力スケーリング制御部１０９は、複数ＳｃｅｌｌのＳＲＳの中で、物理層の制御チャネルＰＤＣＣＨに含まれる制御情報（ＵＬ又はＤＬグラント）、または、上位層のシグナリングで通知された（される）制御情報でＵＣＩ（ＣＱＩ、ＰＭＩ等）報告がトリガーされた（される）ＣＣのＳＲＳ電力割当優先度を高くする。例えば、アペリオディックＣＳＩ等のＵＣＩ報告がトリガーされた、ＣＣのＳＲＳ電力割当優先度を高くする。また、例えば、ｅＮＢからＲＲＣ（Radio Resource Control）などの上位層のシグナリングで指示された、ピリオディックＣＱＩ（ＰＭＩ）報告に使用するＳｃｅｌｌの優先順位に基づいて、その優先順位が高いＳｃｅｌｌに設定されたＣＣのＳＲＳ電力割当優先度を高くする。
【０１９０】
つまり、ＵＣＩをＰＵＳＣＨと共に（ＵＣＩをＰＵＳＣＨに多重して）送信するようにｅＮＢに指示されたＣｅｌｌ（ＣＣ）、または、ＵＣＩをＰＵＳＣＨと共に（ＵＣＩをＰＵＳＣＨに多重して）送信するＣｅｌｌ（ＣＣ）の中で、ｅＮＢから指示された優先順位の高いＣｅｌｌ（ＣＣ）のＳＲＳ電力割当優先度を高くする。
【０１９１】
反対に、ＳｃｅｌｌのＳＲＳが複数ある場合において、電力スケーリング制御部１０９は、物理層の制御チャネルＰＤＣＣＨに含まれる制御情報（ＵＬ又はＤＬグラント）、または、上位層のシグナリングで通知された（される）制御情報でＵＣＩ（ＣＱＩ、ＰＭＩ等）報告がトリガーされない（されていない）ＣＣのＳＲＳ電力割当優先度を低くする（優先的にドロップする、送信電力を低減する、送信停止、または送信電力をゼロに設定する）。例えば、ＵＬグラントでアペリオディックＣＳＩ等のＵＣＩ報告がトリガーされない（されていない）ＣＣのＳＲＳ電力割当優先度を低くする。また、例えば、ｅＮＢからＲＲＣなどの上位層のシグナリングで指示された、ピリオディックＣＱＩ（ＰＭＩ）報告などに使用するＳｃｅｌｌの優先順位に基づいて、その優先順位が低いＳｃｅｌｌに設定されたＣＣのＳＲＳ電力割当優先度を低くする。
【０１９２】
つまり、ＵＣＩをＰＵＳＣＨと共に（ＵＣＩをＰＵＳＣＨに多重して）送信しないようにｅＮＢに指示されたＣｅｌｌ（ＣＣ）、または、ＵＣＩをＰＵＳＣＨと共に（ＵＣＩをＰＵＳＣＨに多重して）送信するＣｅｌｌ（ＣＣ）の中で、ｅＮＢに指示された優先順位の低いＣｅｌｌ（ＣＣ）のＳＲＳ電力割当優先度を低くする。
【０１９３】
これは、ｅＮＢからＲＲＣなどの上位層のシグナリングで指示された、ピリオディックＣＱＩ（ＰＭＩ）報告などに使用するＳｃｅｌｌの優先順位が高いＣＣでは、ＵＣＩを送信する前にそのＣｅｌｌ（ＣＣ）の品質測定を高精度に行う必要があるために、（例えば、アペリオディック）ＳＲＳを送信する確率が高い。これは、そのＣＣで送信する（アペリオディック）ＳＲＳの電力割当て優先度を低くする（又は、ドロップしてしまう）と、後続サブフレームで送信するＵＣＩに対するＭＣＳ選択や送信電力制御が正しく行われないためである。
【０１９４】
図１４に、電力スケーリング方法１１−Ａの概要を示す。図１４では、Ｓｃｅｌｌの２ＣＣ（ＣＣ＃０、ＣＣ＃２）において、ＳＲＳを同時に送信しており、基地局から（ＲＲＣなどの上位レイヤシグナリングで）通知される制御信号により、ＣＣ＃０はＳｃｅｌｌ、ＣＣ＃１はＰｃｅｌｌ、ＣＣ＃２はＳｃｅｌｌに設定されている。このような状況下において、複数ＣＣで送信されるＳＲＳの送信電力値が複数ある（複数ＳＲＳの同時送信が発生する）場合、２Ｓｃｅｌｌの２ＳＲＳの中で、ＵＬグラントでアペリオディックＣＳＩ等のＵＣＩがトリガーされた（される）ＣＣのＳＲＳ電力割当優先度を高くする。図１４では、ＳｃｅｌｌのＣＣ＃２において、過去のサブフレームにおいて、ＵＣＩがトリガーされており、ＣＣ＃０はＵＣＩがトリガーされていない場合を示している。
【０１９５】
これにより、電力スケーリング方法１−Ａと同様の効果を、複数Ｓｃｅｌｌ（ＳＣＣ）の中で得ることができる。
【０１９６】
なお、トリガーされたＳｃｅｌｌはある所定の期間、その優先度を保持してもよい。また、新たに別ＣＣでＵＣＩがトリガーされるまでその優先度を維持してもよい。また、ＵＣＩがトリガーされたＳｃｅｌｌが複数ある場合は、直近のトリガー情報に従って、ＳＲＳの電力スケーリングを行ってもよい。また、ＵＣＩがトリガーされたＳｃｅｌｌが複数あり、同一時点でそれらがトリガーされた場合は、ＵＬ ＣＣ ＩＤ番号（昇順・降順）に応じて電力スケーリング優先度を決定してもよい。
【０１９７】
また、上位層のシグナリングで通知（指示）された、複数Ｓｃｅｌｌの中でのＵＣＩを送信するＣＣの優先度順位情報を、ある所定の期間保持してもよい（ある所定期間その情報に従って、電力スケーリングを行ってもよい）。また、上位層のシグナリングに依り、ｅＮＢから新たに上記した優先順位などが通知（指示）されるまで、その優先度を維持してもよい。新たな優先順位が通知（指示）されれば、その新たな優先順位に従って、電力スケーリングを行えばよい。
【０１９８】
また、上記したように、ｅＮＢからＲＲＣ（Radio Resource Control）などの上位層のシグナリングで指示された、ピリオディックＣＱＩ（ＰＭＩ）報告などに使用するＳｃｅｌｌの優先順位に基づいて、ＣＣのＳＲＳ電力割当優先度を設定してもよい。例えば、複数Ｓｃｅｌｌの中で、ＵＣＩをＰＵＳＣＨと共に送信するようにｅＮＢに指示されたＣｅｌｌ（ＣＣ）、または、複数Ｓｃｅｌｌにおいて、ＵＣＩをＰＵＳＣＨと共に送信するＣｅｌｌ（ＣＣ）の中で、ｅＮＢに指示された優先順位の高いＣｅｌｌ（ＣＣ）のＳＲＳ電力割当優先度を高くする。反対に、複数Ｓｃｅｌｌの中で、ＵＣＩをＰＵＳＣＨと共に送信しないようにｅＮＢに指示されたＣｅｌｌ（ＣＣ）、または、複数Ｓｃｅｌｌにおいて、ＵＣＩをＰＵＳＣＨと共に送信するＣｅｌｌ（ＣＣ）の中で、ｅＮＢに指示された優先順位の低いＣｅｌｌ（ＣＣ）のＳＲＳ電力割当優先度を低くする。
【０１９９】
これにより、上記と同様の効果を得ることができる。
【０２００】
また、ｅＮＢからＲＲＣなどの上位層のシグナリングで指示された、ピリオディックＣＱＩ（ＰＭＩ）報告などに使用するＳｃｅｌｌの優先順位に基づいて、優先順位の最も高いＳｃｅｌｌのＳＲＳの送信電力（ＰＳＤ）を、電力スケーリング処理において、保持してもよい（変化させなくてもよい）。
【０２０１】
これにより、上記と同様の効果を得つつ、ＵＣＩが送信される確率の高いＳｃｅｌｌの品質測定を高精度化することができ、ｅＮＢはＵＣＩの伝送に用いる適切な送信電力（ＭＣＳ）を端末に通知することができる。
【０２０２】
また、ｅＮＢからＲＲＣなどの上位層のシグナリングで指示された、ピリオディックＣＱＩ（ＰＭＩ）報告などに使用するＳｃｅｌｌの優先順位に基づいて、優先順位の低いＳｃｅｌｌをドロップするＳＲＳとして選択してもよい。例えば、優先順位の最も高いＳｃｅｌｌのＳＲＳの送信電力（ＰＳＤ）を保持し（変化させずに）、それ以外の全ＳｃｅｌｌのＳＲＳの送信電力（ＰＳＤ）を全てドロップ（送信電力＝０、送信停止、ＰＳＤ＝０、送信電力を低減）してもよい。
【０２０３】
これにより、電力スケーリング方法３−Ａと同様の効果を複数Ｓｃｅｌｌの中で得ることができる。即ち、Ｐｃｅｌｌ及び複数Ｓｃｅｌｌで複数ＳＲＳを同時送信する全ての場合において、同様の効果を得ることができるようになる。また、優先順位の低いＳｃｅｌｌ（ＣＣ）から順番に、ＳｃｅｌｌのＳＲＳをドロップ（送信電力＝０、送信停止、ＰＳＤ＝０に設定）してもよい。これにより、上記と同様の効果を得ることができる。
【０２０４】
なお、上記の方法において、（図示していない）ｅＮＢでは、各端末に設定したＳｃｅｌｌおよびＰｃｅｌｌ情報やＣＣ（Ｃｅｌｌ）毎のアップリンク被干渉状況などを用いて、複数Ｓｃｅｌｌの中でピリオディックＣＱＩ（ＰＭＩ）報告等に使用するＳｃｅｌｌの端末毎の優先順位の決定、又は、複数Ｓｃｅｌｌの中でＵＣＩをＰＵＳＣＨと共に（ＵＣＩをＰＵＳＣＨに多重して）送信する端末毎のｃｅｌｌ（ＣＣ）の選択などを行う。そして、決定、選択した優先順位などの情報を上位レイヤの（ＲＣＣ）シグナリングを用いて、端末に通知する。上記情報を受信した端末は、複数ＵＬチャネル（ＳＲＳ等）の同時送信が生じた場合において、その情報を電力スケーリングに用いる。
【０２０５】
電力スケーリング方法１２−Ａ
電力スケーリング方法１２−Ａでは、電力スケーリング制御部１０９は、高いＰＳＤを有するＳＲＳより、低いＰＳＤのＳＲＳを優先的にドロップする（電力割当優先度を低くする、送信電力を低減する、送信しない、送信電力をゼロに設定する）。
【０２０６】
ＣＣ間でのＳＲＳのＰＳＤの差が大きい場合、ＰＳＤの大きいＣＣのＳＲＳの相互変調歪が、異なるＣＣのＳＲＳのＰＳＤより大きくなる場合が生じる。この相互変調歪は、送信フィルタで取り除くことができない。すなわち、このような場合にそのまま送信してしまうと、ｅＮＢは相互変調歪の影響を受けたＳＲＳで該当ＣＣの通信品質を測定してしまい、正しいスケジューリング、送信電力制御ができない。この課題に対して、相互変調歪みの影響を受けにくい高いＰＳＤを持つＳＲＳだけを送信することにより、該当ＣＣを精度よく測定できる。
【０２０７】
図１５に、電力スケーリング方法１２−Ａの概要を示す。図１５では、Ｓｃｅｌｌの２ＣＣ（ＣＣ＃０、ＣＣ＃１）において、ＳＲＳを同時に送信しており、基地局から（上位レイヤシグナリングで）通知される制御信号により、ＣＣ＃０はＳｃｅｌｌ、ＣＣ＃１はＳｃｅｌｌに設定されている。図１５では、高調波歪（相互変調歪み）を点線で示している。このような状況下において、相互変調歪みの影響を受けやすい低いＰＳＤを持つＳＲＳをドロップする。
【０２０８】
なお、ＰＳＤの値を計算するのに関連する（ＰＵＳＣＨ、ＳＲＳ）送信電力制御パラメータに基づいてもよい。例えば、ＴＰＣコマンド累積値、トランスポートブロックサイズ、ＭＣＳレベルに関連するオフセットパラメータ（ＴＦ）、ＰＵＳＣＨの送信電力に対するＳＲＳオフセット値、１ＲＥ当たりのビット数（ＴＢサイズ／割当ＲＥ数）など、これらの値が大きいほど、高いＰＳＤを有するＳＲＳとなるため、これらの値に基づいて、ドロップするＳＲＳを選択してもよい。また、割当ＲＥ（Resource Element）数、または、割当サブキャリア数が少ないほど、高いＰＳＤを有するＳＲＳとなるため、これらの値に基づいて、ドロップするＳＲＳを選択してもよい。
【０２０９】
また、ＰＳＤや、上記各パラメータに対して、閾値を導入し、それらの値が閾値を超えた場合に該当ＳＲＳを優先的にドロップするようにしてもよい。
【０２１０】
このように、実施の形態２によれば、Ｐｃｅｌｌ及びＳｃｅｌｌを用いて複数ＳＲＳを同時送信する場合に、ＳｃｅｌｌのＳＲＳよりＰｃｅｌｌのＳＲＳを優先して送信電力割当を行うことにより、電力割当優先度の低いＳＲＳのＣＣが、ＵＣＩを多重するＣＣと同一のＣＣとなる確率を低減することができる。よって、ＵＣＩが多重される確率の高いＰｃｅｌｌの伝搬チャネル品質情報を電力割当優先度の高いＳＲＳにより高精度に推定することができ、ｅＮＢは後続のＵＣＩを伝送するＵＬチャネルに対して適切な送信電力を指示することができる。
【０２１１】
なお、上記では、ＣＣ間の場合について説明したが、ＣＣ内の複数ＳＲＳに上記方法を適用してもよい。
【０２１２】
また、上記各電力スケーリング方法を組み合わせて使用してもよい。
【０２１３】
また、上記複数Ｓｃｅｌｌの複数ＳＲＳへの適用を前提に述べた方法を、Ｐｃｅｌｌに複数ＳＲＳ、複数Ｐｃｅｌｌに複数ＳＲＳが存在する場合には、同様に適用することができる。
【０２１４】
また、上記に述べた、電力割当優先度の低いＳＲＳの送信電力を低減する方法として、ｅＮＢから端末へ（上位レイヤのシグナリングで）通知されるＳＲＳ用のスケーリングウェイトを用いて、送信電力を低減してもよい。ｗ＿Ｐｃｅｌｌ＿ＳＲＳをＰｃｅｌｌのＳＲＳに適用するスケーリングウェイト、ｗ＿Ｓｃｅｌｌ＿ＳＲＳをＳｃｅｌｌのＳＲＳに適用するスケーリングウェイトとした場合、ｗ＿Ｐｃｅｌｌ＿ＳＲＳ＞ｗ＿Ｓｃｅｌｌ＿ＳＲＳと設定（定義）すればよい。また、ｗ＿Ｐｃｅｌｌ＿ＳＲＳ＝１、ｗ＿Ｓｃｅｌｌ＿ＳＲＳ＜１と定義してもよい。また、ドロップ（送信停止、送信電力＝０）する場合には、ｗ＿Ｓｃｅｌｌ＿ＳＲＳ＝０と設定してもよい。
【０２１５】
また、上記各電力スケーリング方法を組み合わせて使用してもよい。
実施の形態１及び実施の形態２に記載の各電力スケーリング方法を組み合わせることにより、複数ＣＣ（ｃｅｌｌ）で送信される複数アップリンクチャネルの送信電力合計値がＵＥ固有の最大送信電力を超えない場合、かつ、複数ｃｅｌｌ、又は、複数ＣＣでの複数アップリンクチャネル同時送信が発生した場合における、電力スケーリングを行うこともできる。以下に、実施の形態１（２）に記載の電力スケーリング方法３（３−Ａ）及び１２（１２−Ａ）を組み合わせた場合の一例（電力スケーリング方法１６−Ａ）を示す。
【０２１６】
電力スケーリング方法１６−Ａ
電力スケーリング方法１６−Ａでは、電力スケーリング制御部１０９は、複数Ｓｃｅｌｌに複数ＳＲＳがある場合に、ｅＮＢから端末へ通知されるＵＬグラントに含まれる、ＰＵＳＣＨのトランスポートブロック（ＴＢ：Transport Block）サイズの大きさに基づいて、ＳＲＳの電力優先度を決定する。
【０２１７】
ＵＣＩのサイズが大きい（ビット数が多い）場合には、ＴＢサイズが小さいＰＵＳＣＨに、ＣＱＩやＰＭＩのＵＣＩが多重することができなくなる問題が生じる。複数ＣＣのＣＱＩやＰＭＩ情報を１つのＳｃｅｌｌのＰＵＳＣＨでｅＮＢに報告する場合にその問題が更に大きくなる。なお、複数ＰＵＳＣＨにＵＣＩを分割してｅＮＢに報告する方法は、ＵＬマルチキャリア送信になるために、上記したようにＰＡへ与える影響などを考慮すると望ましくない。従って、複数Ｓｃｅｌｌに複数ＰＵＳＣＨが割当てられた場合においては、ＴＢサイズの大きいＰＵＳＣＨにＵＣＩを多重する方法を取ることが望ましい。
【０２１８】
従って、電力スケーリング方法１６−Ａにおいては、例えば、複数Ｓｃｅｌｌにおいて、ＴＢサイズが大きいＴＢがマッピングされるＰＵＳＣＨが送信されるＣＣ（Ｃｅｌｌ）の、ＳＲＳ送信電力の優先度を高くする。反対に、ＴＢサイズが小さいＴＢがマッピングされるＰＵＳＣＨが送信されるＣＣ（Ｃｅｌｌ）の、ＳＲＳ送信電力の優先度を低くする。
【０２１９】
なお、上記方法において、ＴＢサイズが最も大きいＰＵＳＣＨが送信されるＣＣ（Ｃｅｌｌ）の、ＳＲＳ送信電力の優先度を高くし、それ以外のＳｃｅｌｌ（ＣＣ）のＳＲＳ送信電力優先度を低くしてもよい。
【０２２０】
また、ＴＢサイズが最も大きいＰＵＳＣＨが送信されるＣＣ（Ｃｅｌｌ）の、ＳＲＳ送信電力は保持し（変化させず）、それ以外のＳｃｅｌｌ（ＣＣ）のＳＲＳ送信電力を低減してもよい。
【０２２１】
また、ＴＢサイズが最も大きいＰＵＳＣＨが送信されるＣＣ（Ｃｅｌｌ）の、ＳＲＳ送信電力は保持し（変化させず）、それ以外のＳｃｅｌｌ（ＣＣ）のＳＲＳをドロップ（送信電力＝０、送信停止、ＰＳＤ＝０に設定する）してもよい。
【０２２２】
また、ＴＢサイズが小さいＰＵＳＣＨが送信されるＳｃｅｌｌ（ＣＣ）から順番に、該当ＣＣのＳＲＳをドロップ（送信電力＝０、送信停止、ＰＳＤ＝０に設定）してもよい。
【０２２３】
これにより、上記の実施の形態に記載の各方法と同様の効果を得ることができる。
【０２２４】
なお、上記電力スケーリング方法１６−Ａに依って設定されたＳＲＳの電力優先度は、ある所定の期間、その優先度を保持してもよい。また、新たに複数Ｓｃｅｌｌ間で異なる複数ＴＢサイズの組合せが送信されるまで、その優先度を複数Ｓｃｅｌｌ間で維持してもよい。また、上記電力スケーリング方法１６−Ａに依って設定されたＳＲＳの電力優先度は、直近の優先度に従って、ＳＲＳの電力スケーリングを行ってもよい。
【０２２５】
上記各実施の形態では、本発明をハードウェアで構成する場合を例にとって説明したが、本発明はハードウェアとの連携においてソフトウェアによって実現することも可能である。
【０２２６】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２２７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２２８】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２２９】
なお、上記各実施の形態ではアンテナとして説明したが、本発明はアンテナポート（antenna port）でも同様に適用できる。
【０２３０】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０２３１】
例えば3GPP LTEにおいては、アンテナポートが何本の物理アンテナから構成されるかは規定されず、基地局が異なる参照信号（Reference signal）を送信できる最小単位として規定されている。
【０２３２】
また、アンテナポートはプリコーディングベクトル（Precoding vector）の重み付けを乗算する最小単位として規定されることもある。
【０２３３】
２０１０年１１月５日出願の特願２０１０−２４９００５及び２０１０年１１月１８日出願の特願２０１０−２５８３６０の日本出願に含まれる明細書、図面及び要約書の開示内容は、すべて本願に援用される。
【産業上の利用可能性】
【０２３４】
本発明にかかる無線通信端末装置及び電力割当方法は、ＬＴＥ−Ａなどの移動通信システム等に適用できる。
【符号の説明】
【０２３５】
１０１  アンテナ
１０２  無線受信処理部
１０３  ＯＦＤＭ復調部
１０４  復調部
１０５  チャネル復号部
１０６  制御情報抽出部
１０７  送信電力計算部
１０８  電力スケーリング検出部
１０９  電力スケーリング制御部
１１０−１〜１１０−Ｎ  符号化及び変調部
１１１−１〜１１１−Ｎ  多重部
１１２−１〜１１２−Ｎ  送信電力設定部
１１３−１〜１１３−Ｎ  ＳＣ−ＦＤＭＡ変調部
１１４  合成部
１１５  無線送信処理部
【図１】
2012060067.tif 000003
【図２】
2012060067.tif 000004
【図３】
2012060067.tif 000005
【図４】
2012060067.tif 000006
【図５】
2012060067.tif 000007
【図６】
2012060067.tif 000008
【図７】
2012060067.tif 000009
【図８】
2012060067.tif 000010
【図９】
2012060067.tif 000011
【図１０】
2012060067.tif 000012
【図１１】
2012060067.tif 000013
【図１２】
2012060067.tif 000014
【図１３】
2012060067.tif 000015
【図１４】
2012060067.tif 000016
【図１５】
2012060067.tif 000017
【図１６】
2012060067.tif 000018
【図１７】
2012060067.tif 000019
【図１８】
2012060067.tif 000020
【図１９】
2012060067.tif 000021
【図２０】
2012060067.tif 000022
【図２１】
2012060067.tif 000023
【国際調査報告】
2012060067.tif 000024
2012060067.tif 000025
2012060067.tif 000026
2012060067.tif 000027